(57)【特許請求の範囲】
【請求項１】
端末装置（ＴＥ）であって、
メモリと、
少なくとも一部は前記メモリに結合された回路内にあるロジックと、を備え、前記ロジックは、
モバイルターミネーション（ＭＴ）において発展型マルチメディアブロードキャスト・マルチキャストサービス（ｅＭＢＭＳ）のサポートをイネーブルする＋ＣＥＭＢＭＳＣＦＧ  ＡＴコマンドを送るため、
前記ＭＴで使用できるｅＭＢＭＳサービスのリストを要求する第１の＋ＣＥＭＢＭＳＳＲＶ  ＡＴコマンドを送るため、
前記第１の＋ＣＥＭＢＭＳＳＲＶ  ＡＴコマンドに対する受信応答としてｅＭＢＭＳサービスの前記リストを受け取るため、および
前記ＭＴで使用するためのｅＭＢＭＳサービスを構成する第２の＋ＣＥＭＢＭＳＳＲＶ  ＡＴコマンドを送るため、のものである、ＴＥ。
【請求項２】
前記ロジックは、ｅＭＢＭＳサービスの前記リストにより特定された１つまたは複数のｅＭＢＭＳサービスの中から前記ｅＭＢＭＳサービスを選択するためのものである、請求項１に記載のＴＥ。
【請求項３】
前記ロジックは、前記ｅＭＢＭＳサービスに関連付けられたｅＭＢＭＳセッションのためのデータ転送用にチャネルを構成する＋ＣＥＭＢＭＳＤＡＴＡ  ＡＴコマンドを送るためのものである、請求項１に記載のＴＥ。
【請求項４】
前記第１の＋ＣＥＭＢＭＳＳＲＶ  ＡＴコマンドは、値「０」を有する＜ｅｍｂｍｓ＿ｓｅｒｖｉｃｅ＞パラメータを含むものである、請求項１に記載のＴＥ。
【請求項５】
前記第２の＋ＣＥＭＢＭＳＳＲＶ  ＡＴコマンドは、値「２」を有する＜ｅｍｂｍｓ＿ｓｅｒｖｉｃｅ＞パラメータを含むものである、請求項１に記載のＴＥ。
【請求項６】
前記ロジックは、前記ＭＴで使用中のｅＭＢＭＳサービスについてクエリを発する第３の＋ＣＥＭＢＭＳＳＲＶ  ＡＴコマンドを送るためのものであり、前記第３の＋ＣＥＭＢＭＳＳＲＶ  ＡＴコマンドは、値「１」を有する＜ｅｍｂｍｓ＿ｓｅｒｖｉｃｅ＞パラメータを含むものである、請求項１に記載のＴＥ。
【請求項７】
前記ロジックは、前記ｅＭＢＭＳサービスを構成解除する第４の＋ＣＥＭＢＭＳＳＲＶ  ＡＴコマンドを送るためのものであり、前記第４の＋ＣＥＭＢＭＳＳＲＶ  ＡＴコマンドは、値「３」を有する＜ｅｍｂｍｓ＿ｓｅｒｖｉｃｅ＞パラメータを含むものである、請求項１に記載のＴＥ。
【請求項８】
システムであって、
請求項１〜７のいずれか一項に記載のＴＥと、
少なくとも１つのラジオ周波数（ＲＦ）トランシーバと、
少なくとも１つのＲＦアンテナと、を備えるシステム。
【請求項９】
装置であって、
メモリと、
少なくとも一部は前記メモリに結合された回路内にあるロジックと、を備え、前記ロジックは、
端末装置（ＴＥ）から受け取る＋ＣＥＭＢＭＳＣＦＧ  ＡＴコマンドへの応答として、モバイルターミネーション（ＭＴ）による発展型マルチメディアブロードキャスト・マルチキャストサービス（ｅＭＢＭＳ）のサポートの提供をイネーブルするため、
前記ＴＥから受け取る第１の＋ＣＥＭＢＭＳＳＲＶ  ＡＴコマンドへの応答として、前記ＭＴで使用できる１つまたは複数のｅＭＢＭＳサービスを特定するｅＭＢＭＳサービスのリストを前記ＴＥに送るため、および
前記ＴＥから受け取る第２の＋ＣＥＭＢＭＳＳＲＶ  ＡＴコマンドへの応答として、前記ＭＴで使用するためのｅＭＢＭＳサービスを構成するため、のものである、装置。
【請求項１０】
前記構成されるｅＭＢＭＳサービスは、ｅＭＢＭＳサービスの前記リストにより特定された前記１つまたは複数のｅＭＢＭＳサービスの中に含まれているものである、請求項９に記載の装置。
【請求項１１】
前記ロジックは、前記ＴＥから受け取る＋ＣＥＭＢＭＳＤＡＴＡ  ＡＴコマンドへの応答として、前記構成されたｅＭＢＭＳサービスに関連付けられたｅＭＢＭＳセッションのためのデータ転送用のチャネルを構成するためのものである、請求項９に記載の装置。
【請求項１２】
前記第１の＋ＣＥＭＢＭＳＳＲＶ  ＡＴコマンドは、値「０」を有する＜ｅｍｂｍｓ＿ｓｅｒｖｉｃｅ＞パラメータを含むものである、請求項９に記載の装置。
【請求項１３】
前記第２の＋ＣＥＭＢＭＳＳＲＶ  ＡＴコマンドは、値「２」を有する＜ｅｍｂｍｓ＿ｓｅｒｖｉｃｅ＞パラメータを含むものである、請求項９に記載の装置。
【請求項１４】
前記ロジックは、前記ＴＥから受け取る第３の＋ＣＥＭＢＭＳＳＲＶ  ＡＴコマンドへの応答として、前記ＭＴで使用中のｅＭＢＭＳサービスのリストを送るためのものであって、前記第３の＋ＣＥＭＢＭＳＳＲＶ  ＡＴコマンドは、値「１」を有する＜ｅｍｂｍｓ＿ｓｅｒｖｉｃｅ＞パラメータを含むものである、請求項９〜１３のいずれか一項に記載の装置。
【請求項１５】
前記ロジックは、前記ＴＥから受け取る第４の＋ＣＥＭＢＭＳＳＲＶ  ＡＴコマンドへの応答として、前記構成されたｅＭＢＭＳサービスを構成解除するためのものであり、前記第４の＋ＣＥＭＢＭＳＳＲＶ  ＡＴコマンドは、値「３」を有する＜ｅｍｂｍｓ＿ｓｅｒｖｉｃｅ＞パラメータを含むものである、請求項９〜１３のいずれか一項に記載の装置。
【請求項１６】
端末装置（ＴＥ）において実行されることに応答して、
モバイルターミネーション（ＭＴ）で使用できる発展型マルチメディアブロードキャスト・マルチキャストサービス（ｅＭＢＭＳ）サービスのリストを要求する第１の＋ＣＥＭＢＭＳＳＲＶ  ＡＴコマンドを送ることと、
前記第１の＋ＣＥＭＢＭＳＳＲＶ  ＡＴコマンドに対する受信応答として、ｅＭＢＭＳサービスの前記リストを受け取ることと、
ｅＭＢＭＳサービスの前記リストにより特定された１つまたは複数のｅＭＢＭＳサービスの中からｅＭＢＭＳサービスを選択することと、
前記ＭＴで使用するために前記選択されたｅＭＢＭＳサービスを構成する第２の＋ＣＥＭＢＭＳＳＲＶ  ＡＴコマンドを送ることと、を前記ＴＥに実行させるものである、コンピュータプログラム。
【請求項１７】
前記コンピュータプログラムは、前記ＴＥにおいて実行されることに応答して、前記ＭＴにおけるｅＭＢＭＳサポートをイネーブルする＋ＣＥＭＢＭＳＣＦＧ  ＡＴコマンドを送ることを前記ＴＥに実行させる、請求項１６に記載のコンピュータプログラム。
【請求項１８】
前記コンピュータプログラムは、前記ＴＥにおいて実行されることに応答して、前記選択されたｅＭＢＭＳサービスに関連付けられたｅＭＢＭＳセッションのためのデータ転送用のチャネルを構成する＋ＣＥＭＢＭＳＤＡＴＡ  ＡＴコマンドを送ることを前記ＴＥに実行させる、請求項１６に記載のコンピュータプログラム。
【請求項１９】
前記第１の＋ＣＥＭＢＭＳＳＲＶ  ＡＴコマンドは、値「０」を有する＜ｅｍｂｍｓ＿ｓｅｒｖｉｃｅ＞パラメータを含むものである、請求項１６に記載のコンピュータプログラム。
【請求項２０】
前記第２の＋ＣＥＭＢＭＳＳＲＶ  ＡＴコマンドは、値「２」を有する＜ｅｍｂｍｓ＿ｓｅｒｖｉｃｅ＞パラメータを含むものである、請求項１６に記載のコンピュータプログラム。
【請求項２１】
前記コンピュータプログラムは、前記ＴＥにおいて実行されることに応答して、前記ＭＴで使用中のｅＭＢＭＳサービスについてクエリを発する第３の＋ＣＥＭＢＭＳＳＲＶ  ＡＴコマンドを送ることを前記ＴＥに実行させ、前記第３の＋ＣＥＭＢＭＳＳＲＶ  ＡＴコマンドは、値「１」を有する＜ｅｍｂｍｓ＿ｓｅｒｖｉｃｅ＞パラメータを含むものである、請求項１６〜２０のいずれか一項に記載のコンピュータプログラム。
【請求項２２】
前記コンピュータプログラムは、前記ＴＥにおいて実行されることに応答して、前記選択されたｅＭＢＭＳサービスを構成解除する第４の＋ＣＥＭＢＭＳＳＲＶ  ＡＴコマンドを送ることを前記ＴＥに実行させ、前記第４の＋ＣＥＭＢＭＳＳＲＶ  ＡＴコマンドは、値「３」を有する＜ｅｍｂｍｓ＿ｓｅｒｖｉｃｅ＞パラメータを含むものである、請求項１６〜２０のいずれか一項に記載のコンピュータプログラム。
【請求項２３】
請求項１６〜２２のいずれか一項に記載のコンピュータプログラムを格納する、コンピュータ可読記録媒体。
【発明の詳細な説明】
【技術分野】
【０００１】
本明細書に記載の実施形態は、広くは、広帯域無線通信ネットワークにおけるデバイス間の通信に関するものである。
【背景技術】
【０００２】
発展型マルチメディアブロードキャスト・マルチキャストサービス（ｅＭＢＭＳ）は、単方向ポイントツーマルチポイントサービスであり、単一のソースエンティティから特定のエリアの一群のユーザにデータが送信される。ｅＭＢＭＳサービスは、音声通話およびインターネット接続などの他の典型的なサービスを提供するために携帯電話事業者によって使用される同じキャリア周波数で送信される。例えば、モバイルテレビサービス、ストリーミングサービス、ファイルダウンロードサービスなど、様々なタイプのｅＭＢＭＳサービスを提供することができる。
【図面の簡単な説明】
【０００３】
【図１】図１は、第１の運用環境の実施形態を示している。
【図２】図２は、第２の運用環境の実施形態を示している。
【図３】図３は、第３の運用環境の実施形態を示している。
【図４】図４は、第４の運用環境の実施形態を示している。
【図５】図５は、第１のコマンド定義の実施形態を示している。
【図６】図６は、第２のコマンド定義の実施形態を示している。
【図７Ａ】図７Ａは、第３のコマンド定義の実施形態を示している。
【図７Ｂ】図７Ｂは、規定値セットの実施形態を示している。
【図８】図８は、第４のコマンド定義の実施形態を示している。
【図９】図９は、第５のコマンド定義の実施形態を示している。
【図１０】図１０は、論理フローの実施形態を示している。
【図１１】図１１は、記憶媒体の実施形態を示している。
【図１２】図１２は、デバイスの実施形態を示している。
【図１３】図１３は、無線ネットワークの実施形態を示している。
【発明を実施するための形態】
【０００４】
種々の実施形態は、概して、ｅＭＢＭＳをサポートするためのモバイルターミネーション制御技術に関するものであり得る。一実施形態では、例えば、装置は、少なくとも一部がハードウェア内にあるロジックを備えることができ、そのロジックは、モバイルターミネーション（ＭＴ）において発展型マルチメディアブロードキャスト・マルチキャストサービス（ｅＭＢＭＳ）のサポートをイネーブルする第１のＡＴコマンドを送るため、ＭＴで使用できるｅＭＢＭＳサービスに関するクエリをＭＴに発する第２のＡＴコマンドを送るため、第２のＡＴコマンドへの応答として１つまたは複数の使用できるｅＭＢＭＳサービスを記述する情報を受け取るため、および１つまたは複数の使用できるｅＭＢＭＳサービスのうちの少なくとも１つを使用するようにＭＴを構成する第３のＡＴコマンドを送るため、のものである。他の実施形態について、記載されるとともに、特許請求される。
【０００５】
種々の実施形態では、１つまたは複数の要素を備え得る。要素は、いくつかのオペレーションを実行するように構成された任意の構造体を有し得る。所与の設計パラメータセットまたは性能制約の要求に応じて、各要素は、ハードウェア、ソフトウェア、またはその任意の組み合わせとして実装することができる。例として、ある特定のトポロジで、限られた数の要素を用いて、実施形態について説明している場合があるが、その実施形態は、所与の実装についての要求に応じて、別のトポロジで、より多数またはより少数の要素を備えていてもよい。なお、「一実施形態」または「実施形態」という表現は、その実施形態に関連して記載される特定の特徴、構造、または特性が、少なくとも１つの実施形態に含まれることを意味するということに留意すべきである。本明細書で様々な箇所に記載されている「一実施形態では」、「いくつかの実施形態では」、および「種々の実施形態において」という表現は、必ずしもすべて同じ実施形態を指しているとは限らない。
【０００６】
本明細書で開示する技術は、１つまたは複数の広帯域移動無線技術を用いて１つまたは複数の無線接続を介してデータを転送することを伴い得る。例えば、種々の実施形態は、その旧版、改訂版、後継版、および／または変形版を含む、１つまたは複数の第３世代パートナーシッププロジェクト（３ＧＰＰ）、３ＧＰＰロングタームエボリューション（ＬＴＥ）、および／または３ＧＰＰ  ＬＴＥアドバンスト（ＬＴＥ−Ａ）技術および／または規格による、１つまたは複数の無線接続を介した転送を伴い得る。種々の実施形態は、その旧版、改訂版、後継版、および／または変形版を含む、１つまたは複数の移動通信用グローバルシステム（ＧＳＭ（登録商標））／ＧＳＭ（登録商標）エボリューション用エンハンストデータレート（ＥＤＧＥ）、ユニバーサル移動通信システム（ＵＭＴＳ）／高速パケットアクセス（ＨＳＰＡ）、および／または汎用パケットラジオサービス（ＧＰＲＳ）システムによるＧＳＭ（登録商標）（ＧＳＭ（登録商標）／ＧＰＲＳ）技術および／または規格による転送を、追加的または代替的に伴い得る。
【０００７】
広帯域移動無線技術および／または規格の例として、さらに、その旧版、改訂版、後継版、および／または変形版を含む、ＩＥＥＥ８０２．１６ｍおよび／または８０２．１６ｐなどの米国電気電子学会（ＩＥＥＥ）８０２．１６広帯域無線規格のいずれか、第４世代国際移動通信（ＩＭＴ−ＡＤＶ）、マイクロ波アクセスのための世界的な相互運用性（ＷｉＭａｘ（登録商標））および／またはＷｉＭａｘ  ＩＩ、符号分割多重アクセス（ＣＤＭＡ）２０００（例えば、ＣＤＭＡ２０００  １ｘＲＴＴ、ＣＤＭＡ２０００  ＥＶ−ＤＯ、ＣＤＭＡ  ＥＶ−ＤＶなど）、高性能ラジオメトロポリタンエリアネットワーク（ＨＩＰＥＲＭＡＮ）、ワイヤレスブロードバンド（ＷｉＢｒｏ）、高速ダウンリンクパケットアクセス（ＨＳＤＰＡ）、高速直交周波数分割多重（ＯＦＤＭ）パケットアクセス（ＨＳＯＰＡ）、高速アップリンクパケットアクセス（ＨＳＵＰＡ）技術および／または規格が含まれ得るが、ただし、これらに限定されない。
【０００８】
いくつかの実施形態は、追加的または代替的に、他の無線通信技術および／または規格による無線通信を伴い得る。種々の実施形態において使用され得る他の無線通信技術および／または規格の例として、そのいずれかの旧版、改訂版、後継版、および／または変形版を含む、ＩＥＥＥ８０２．１１、ＩＥＥＥ８０２．１１ａ、ＩＥＥＥ８０２．１１ｂ、ＩＥＥＥ８０２．１１ｇ、ＩＥＥＥ８０２．１１ｎ、ＩＥＥＥ８０２．１１ｕ、ＩＥＥＥ８０２．１１ａｃ、ＩＥＥＥ８０２．１１ａｄ、ＩＥＥＥ８０２．１１ａｆ、および／またはＩＥＥＥ８０２．１１ａｈ規格などの他のＩＥＥＥ無線通信規格、ＩＥＥＥ８０２．１１高効率ＷＬＡＮ（ＨＥＷ）研究グループによって策定された高効率Ｗｉ−Ｆｉ規格、Ｗｉ−Ｆｉ（登録商標）、Ｗｉ−Ｆｉダイレクト、Ｗｉ−Ｆｉダイレクトサービス、ワイヤレスギガビット（ＷｉＧｉｇ）、ＷｉＧｉｇディスプレイ拡張（ＷＤＥ）、ＷｉＧｉｇバス拡張（ＷＢＥ）、ＷｉＧｉｇシリアル拡張（ＷＳＥ）規格などのＷｉ−Ｆｉアライアンス（ＷＦＡ）無線通信規格、および／またはＷＦＡ近隣認識ネットワーキング（ＮＡＮ）タスクグループによって策定された規格、３ＧＰＰ技術報告書（ＴＲ）２３．８８７、３ＧＰＰ技術仕様書（ＴＳ）２２．３６８、および／または３ＧＰＰ  ＴＳ  ２３．６８２において具体化されているようなマシン型通信（ＭＴＣ）規格、および／またはＮＦＣフォーラムによって策定された規格などの近距離無線通信（ＮＦＣ）規格が含まれ得るが、ただし、これらに限定されない。実施形態は、これらの例に限定されない。
【０００９】
本明細書で開示する技術は、１つまたは複数の無線接続を介した転送に加えて、１つまたは複数の有線通信媒体による１つまたは複数の有線接続を介したコンテンツの転送を伴い得る。有線通信媒体の例として、ワイヤ、ケーブル、金属リード、プリント回路基板（ＰＣＢ）、バックプレーン、スイッチファブリック、半導体材料、ツイストペア線、同軸ケーブル、光ファイバ、などを含むことができる。実施形態は、この文脈に限定されない。
【００１０】
図１は、種々の実施形態を表現し得る運用環境１００の一例を示している。運用環境１００では、モバイルデバイス１０２は、端末装置（ＴＥ）１０４と、モバイルターミネーション（ＭＴ）１０６と、を備える。ＴＥ１０４は、一般的に、モバイルデバイス１０２のユーザ（群）に対してアプリケーションおよび／またはサービスを提供するためのデバイス（群）、ロジック、回路、および／または命令を有し得る。ＭＴ１０６は、主に、モバイルデバイス１０２側でラジオ周波数（ＲＦ）通信をサポートするように構成されたデバイス（群）、ロジック、回路、および／または命令を有し得る。モバイルデバイス１０２は、また、ターミナルアダプタ（ＴＡ）１０８を備え、これは、主に、ＴＥ１０４とＭＴ１０６との間の通信を有効化するように構成されたデバイス（群）、ロジック、回路、および／または命令を有し得る。運用環境１００では、モバイルデバイス１０２は、ＭＴ１０６によって提供される機能を利用して、ラジオアクセスネットワーク（ＲＡＮ）１１０との無線通信に参加する。いくつかの実施形態では、モバイルデバイス１０２は、ユーザ装置（ＵＥ）を備えることができ、ＲＡＮ１１０は、発展型ユニバーサル移動通信システム（ＵＭＴＳ）地上ラジオアクセスネットワーク（Ｅ−ＵＴＲＡＮ）を有し得る。ＭＴ１０６の機能を用いることによるＲＡＮ１１０との無線通信に伴って、ＴＥ１０４は、送信用のデータを供給するため、無線通信の様々な局面を制御するため、ＲＡＮ１１０を介してＭＴ１０６で受信したデータを取得するため、および／または他の関連したオペレーションを実行するために、ＴＡ１０８を介してＭＴ１０６と通信し得る。実施形態は、この文脈に限定されない。
【００１１】
図２は、種々の実施形態を表現し得る運用環境２００の一例を示している。運用環境２００では、ＲＡＮ１１０を介して、１つまたは複数の発展型マルチメディアブロードキャスト・マルチキャストサービス（ｅＭＢＭＳ）サービス２１２を利用できる。ｅＭＢＭＳサービス２１２を利用可能であること、および／またはそれらのｅＭＢＭＳサービスの特性を、そのセル内のデバイスに通知するために、ＲＡＮ１１０内のｅＮＢ２１４は、ｅＭＢＭＳ情報２１６を送信する。いくつかの実施形態では、ｅＮＢ２１４は、システム情報ブロック１３（ＳＩＢ−１３）のようなシステム情報ブロック内のｅＭＢＭＳ情報２１６を送信し得る。ＭＴ１０６は、ｅＭＢＭＳ情報２１６を受信してｅＭＢＭＳサービス２１２を得るために必要な無線通信機能を、モバイルデバイス１０２に提供し得る。モバイルデバイス１０２のユーザ（群）によるｅＭＢＭＳサービス２１２の利用を可能にすることができるためには、ＴＥ１０４には、ｅＭＢＭＳサービス２１２を得るために適切にその無線通信機能を利用するようにＭＴ１０６を制御可能であることが要求される。しかしながら、従来技術によれば、モバイルデバイス１０２のようなモバイルデバイスのユーザへのｅＭＢＭＳサービス２１２のようなｅＭＢＭＳサービスの提供を可能にするのに要求されるような形態で、ＭＴ１０６のようなモバイルターミネーションを制御するために、ＴＥ１０４のような端末装置で使用し得る機構は存在しない。
【００１２】
本明細書では、ｅＭＢＭＳをサポートするためのモバイルターミネーション制御技術について開示する。そのような種々の技術によれば、ｅＭＢＭＳサービスの提供を実現するような形態でモバイルターミネーション機能を制御するために、端末装置は、ＡＴコマンドを使用することができる。いくつかの実施形態では、端末装置は、ｅＭＢＭＳ専用に定義されたＡＴコマンドのセットを用いて、それを実現し得る。種々の実施形態において、ｅＭＢＭＳ専用ＡＴコマンドは、単に各種パラメータの新たな値を定義するだけで、新たなｅＭＢＭＳ機能オプションおよびインタフェースプロトコルに対応するように拡張可能であるように設計することができる。いくつかの実施形態では、ｅＭＢＭＳ専用ＡＴコマンドは、３ＧＰＰ  ＴＳ  ２７．００７  Ｖ１２．７．０（２０１５年１月リリース）および／またはその旧版、後継版、および／または変形版に記載されている拡張情報およびエラーメッセージ機能を利用することができる。実施形態は、この文脈に限定されない。
【００１３】
図３は、種々の実施形態においてｅＭＢＭＳをサポートするためのモバイルターミネーション制御技術の実装形態を表現し得る運用環境３００の一例を示している。運用環境３００では、ＴＥ１０４は、ＭＴ１０６におけるｅＭＢＭＳサポートおよびオペレーションをイネーブルおよび構成（またはディスエーブル）するため、ならびにＭＴ１０６におけるそのようなｅＭＢＭＳサポートおよび／またはオペレーションに関連した各種情報の報告を要求するために、ｅＭＢＭＳ専用ＡＴコマンド３１８を使用するように構成することができる。いくつかの実施形態では、ＴＥ１０４は、そのようなｅＭＢＭＳ専用ＡＴコマンド３１８をＴＡ１０８に送ることができ、そしてＴＡ１０８は、受け取ったｅＭＢＭＳ専用ＡＴコマンド３１８に応じて、ＭＴ制御メッセージ３２０をＭＴ１０６に送ることができ、これにより、ＭＴ１０６に、それらのｅＭＢＭＳ専用ＡＴコマンド３１８に応じた動作をさせる。種々の実施形態において、ＭＴ１０６は、受け取ったＭＴ制御メッセージ３２０への応答として、ＭＴステータスメッセージ３２２をＴＡ１０８に送ることができる。いくつかの実施形態では、ＴＡ１０８は、ＭＴ１０６から受け取ったＭＴステータスメッセージ３２２内の情報をＴＥ１０４に提供するために、ＡＴ応答メッセージ３２４をＴＥ１０４に送ることができる。種々の実施形態において、ＴＡ１０８は、ＴＥ１０４によって送られたｅＭＢＭＳ専用ＡＴコマンドに応じた情報を含む１つまたは複数のＡＴ応答メッセージ３２４をＴＥ１０４に送ることができる。いくつかの実施形態では、ＴＡ１０８は、非請求リザルトコードおよび／または非請求サービスリザルトコードを含む１つまたは複数のＡＴ応答メッセージ３２４を送ることができる。実施形態は、この文脈に限定されない。
【００１４】
図４は、種々の実施形態においてｅＭＢＭＳをサポートするためのモバイルターミネーション制御技術の実装を表現し得る運用環境４００の一例を示している。より具体的には、運用環境４００は、ｅＭＢＭＳサービス２１２の使用に伴ってＭＴ１０６を制御するためにＴＥ１０４が使用し得る様々なｅＭＢＭＳ専用ＡＴコマンド３１８の例を示している。図４に示すように、いくつかの実施形態では、ｅＭＢＭＳ専用ＡＴコマンド３１８の例として、コンフィギュレーションコマンド４２６、ステータス報告コマンド４２８、サービス構成コマンド４３２、データ状態移行（ｅｎｔｅｒ  ｄａｔａ  ｓｔａｔｅ）コマンド４３６、およびカウント手順コマンド４３８、を含むことができる。なお、種々の実施形態において、ＴＥ１０４は、追加的または代替的に、他のタイプのｅＭＢＭＳ専用ＡＴコマンド３１８を使用し得ること、ならびに、実施形態はこれらの例に限定されないことは、理解されるべきである。
【００１５】
いくつかの実施形態では、ｅＭＢＭＳ専用ＡＴコマンド３１８のうちの１つまたは複数は、ＭＴ１０６の各種機能および／または報告機能をイネーブルまたはディスエーブルするため、各種ｅＭＢＭＳ関連オペレーションの実行をＭＴ１０６に指示するため、ｅＭＢＭＳサービスに関する情報を求めるクエリをＭＴ１０６に対して発するため、ＭＴ１０６で使用するｅＭＢＭＳサービスを構成または構成解除するため、および／またはｅＭＢＭＳ関連情報をＭＴ１０６に提供するため、に使用するＡＴコマンドを含み得る。以下、そのようなＡＴコマンドを「設定型」コマンドと呼ぶ。種々の実施形態において、ｅＭＢＭＳ専用ＡＴコマンド３１８のうちの１つまたは複数は、前に発行した設定型コマンドの結果としてＭＴ１０６において有効な具体的設定および／または構成情報を示す情報を要求するために使用するＡＴコマンドを含み得る。以下、そのようなＡＴコマンドを「リード型（ｒｅａｄ−ｔｙｐｅ）」コマンドと呼ぶ。いくつかの実施形態では、ｅＭＢＭＳ専用ＡＴコマンド３１８のうちの１つまたは複数は、設定型コマンドの１つまたは複数のパラメータの許容値を示す情報を要求するために使用するＡＴコマンドを含み得る。以下、そのようなＡＴコマンドを「テスト型」コマンドと呼ぶ。種々の実施形態において、ｅＭＢＭＳ専用ＡＴコマンド３１８のうちの１つまたは複数は、拡張ＡＴコマンドを構成し得る。実施形態は、この文脈に限定されない。
【００１６】
いくつかの実施形態では、ＴＥ１０４は、ＭＴ１０６におけるｅＭＢＭＳサポートをイネーブルおよび／またはディスエーブルするために、設定型コンフィギュレーションコマンド４２６を使用することができる。種々の実施形態において、ＴＥ１０４は、ＭＴ１０６におけるｅＭＢＭＳサポートをイネーブルするために設定型コンフィギュレーションコマンド４２６を使用するときに、その設定型コンフィギュレーションコマンド４２６内のパラメータをある値に設定することができ、ＭＴ１０６におけるｅＭＢＭＳサポートをディスエーブルするために設定型コンフィギュレーションコマンド４２６を使用するときに、そのパラメータを他の値に設定することができる。いくつかの実施形態では、ＭＴ１０６においてｅＭＢＭＳサポートをイネーブルすべきであることを指示する設定型コンフィギュレーションコマンド４２６をＴＥ１０４が送ると、ＭＴ１０６は、ｅＭＢＭＳ制御情報を求めてマルチキャスト制御チャネル（ＭＣＣＨ）を監視し得る。種々の実施形態において、ＭＴ１０６においてｅＭＢＭＳサポートをディスエーブルすべきであることを指示する設定型コンフィギュレーションコマンド４２６をＴＥ１０４が送ると、ＭＴ１０６は、ｅＭＢＭＳ制御情報のためのＭＣＣＨの監視を中断することができる。いくつかの実施形態では、ＴＥ１０４は、ＭＴ１０６における現在のｅＭＢＭＳ構成設定に関する情報を要求するために、リード型コンフィギュレーションコマンド４２６を使用することができる。種々の実施形態において、ＴＥ１０４は、設定型コンフィギュレーションコマンド４２６の１つまたは複数のパラメータに対してサポートされている値を示す情報を要求するために、テスト型コンフィギュレーションコマンド４２６を使用することができる。実施形態は、この文脈に限定されない。
【００１７】
いくつかの実施形態では、ＴＥ１０４は、ｅＭＢＭＳセッションパラメータ値がＴＥ１０４に報告されるべきであるかどうかを指定するために、設定型ステータス報告コマンド４２８を使用することができる。種々の実施形態において、ＴＥ１０４は、ｅＭＢＭＳセッションパラメータの報告をイネーブルするために設定型ステータス報告コマンド４２８を使用するときに、その設定型ステータス報告コマンド４２８内のパラメータをある値に設定することができ、ｅＭＢＭＳセッションパラメータの報告をディスエーブルするために設定型ステータス報告コマンド４２８を使用するときに、そのパラメータを他の値に設定することができる。いくつかの実施形態では、設定型ステータス報告コマンド４２８は、そのようなパラメータ値がこれによって報告され得る非請求リザルトコードの提示を制御することができる。そのような種々の実施形態において、ＴＥ１０４は、非請求リザルトコードの提示をイネーブルするためにステータス報告コマンド４２８を使用するときに、その設定型ステータス報告コマンド４２８内のパラメータをある値に設定することができ、非請求リザルトコードの提示をディスエーブルするために設定型ステータス報告コマンドコマンド４２８を使用するときに、そのパラメータを他の値に設定することができる。いくつかの実施形態では、ＴＥ１０４は、ＭＴ１０６においてｅＭＢＭＳセッションパラメータの報告がイネーブルされているかどうかを示す情報を要求するために、リード型ステータス報告コマンド４２８を使用することができる。種々の実施形態において、要求された情報は、ＭＴ１０６において非請求リザルトコードの提示がイネーブルされているかどうかを示し得る。いくつかの実施形態では、ＴＥ１０４は、設定型ステータス報告コマンド４２８の１つまたは複数のパラメータに対してサポートされている値を示す情報を要求するために、テスト型ステータス報告コマンド４２８を使用することができる。実施形態は、この文脈に限定されない。
【００１８】
種々の実施形態において、ｅＭＢＭＳセッションパラメータの報告をイネーブルするために設定型ステータス報告コマンド４２８使用した後に、ＴＥ１０４は、ＴＡ１０８からステータス情報メッセージ４３０を受け取ることができる。いくつかの実施形態では、ステータス情報メッセージ４３０は、１つまたは複数のｅＭＢＭＳセッションについてのステータス情報を含み得る。種々の実施形態において、ステータス情報は、１つまたは複数のｅＭＢＭＳセッションがアクティブ化されているのか、または非アクティブ化されているのかを示し得る。いくつかの実施形態では、ステータス情報メッセージ４３０は、非請求リザルトコードの提示をイネーブルするために設定型ステータス報告コマンド４２８を使用したＴＥ１０４に対する応答として、非請求リザルトコードによってＴＥ１０４に報告される情報を含み得る。実施形態は、この文脈に限定されない。
【００１９】
種々の実施形態において、ＴＥ１０４は、ＭＴ１０６で使用できるｅＭＢＭＳサービスに関する情報を求めるクエリをＭＴ１０６に対して発するために、設定型サービス構成コマンド４３２を使用することができる。いくつかの実施形態では、ＴＥ１０４は、ＭＴ１０６で使用中のｅＭＢＭＳサービスに関する情報を求めるクエリをＭＴ１０６に対して発するために、設定型サービス構成コマンド４３２を使用することができる。種々の実施形態において、ＴＥ１０４は、ＭＴ１０６で使用するｅＭＢＭＳサービスを構成するために、設定型サービス構成コマンド４３２を使用することができる。いくつかの実施形態では、ＴＥ１０４は、ＭＴ１０６で使用するｅＭＢＭＳサービスを構成解除するために、設定型サービス構成コマンド４３２を使用することができる。種々の実施形態において、ＴＥ１０４は、ＭＴ１０６で使用できるｅＭＢＭＳサービスに関する情報を求めるクエリをＭＴ１０６に対して発するために設定型サービス構成コマンド４３２を使用するときに、その設定型サービス構成コマンド４３２内のパラメータをある値に設定することができ、ＭＴ１０６で使用中のｅＭＢＭＳサービスに関する情報を求めるクエリをＭＴ１０６に対して発するために設定型サービス構成コマンド４３２を使用するときに、第２の値に設定することができ、ＭＴ１０６で使用するｅＭＢＭＳサービスを構成するために設定型サービス構成コマンド４３２を使用するときに、第３の値に設定することができ、ＭＴ１０６で使用するｅＭＢＭＳサービスを構成解除するために設定型サービス構成コマンド４３２を使用するときに、第４の値に設定することができる。
【００２０】
いくつかの実施形態では、特定のタイプのｅＭＢＭＳサービス情報がＴＥ１０４に報告されるべきであるかどうかを指定するために、ＴＥ１０４は、設定型サービス構成コマンド４３２を使用することができる。種々の実施形態において、ＴＥ１０４は、特定のタイプのｅＭＢＭＳサービス情報の報告をイネーブルするために設定型サービス構成コマンド４３２を使用するときに、その設定型サービス構成コマンド４３２内のパラメータをある値に設定することができ、特定のタイプのｅＭＢＭＳサービス情報の報告をディスエーブルするために設定型サービス構成コマンド４３２を使用するときに、そのパラメータを他の値に設定することができる。いくつかの実施形態では、設定型サービス構成コマンド４３２は、特定のタイプのｅＭＢＭＳサービス情報がこれによって報告され得る非請求サービスリザルトコードの提示を制御することができる。そのような種々の実施形態では、ＴＥ１０４は、非請求サービスリザルトコードの提示をイネーブルするために設定型サービス構成コマンド４３２を使用するときに、その設定型サービス構成コマンド４３２内のパラメータをある値に設定することができ、非請求サービスリザルトコードの提示をディスエーブルするために設定型サービス構成コマンド４３２を使用するときに、そのパラメータを他の値に設定することができる。いくつかの実施形態では、ＴＥ１０４は、ＭＴ１０６において特定のタイプのｅＭＢＭＳサービス情報の報告がイネーブルされているかどうかを示す情報を要求するために、リード型サービス構成コマンド４３２を使用することができる。種々の実施形態において、要求された情報は、ＭＴ１０６において非請求サービスリザルトコードの提示がイネーブルされているかどうかを示し得る。いくつかの実施形態では、ＴＥ１０４は、設定型サービス構成コマンド４３２の１つまたは複数のパラメータに対してサポートされている値を示す情報を要求するために、テスト型サービス構成コマンド４３２を使用することができる。実施形態は、この文脈に限定されない。
【００２１】
種々の実施形態において、ＭＴ１０６で使用できるｅＭＢＭＳサービスもしくは使用中のｅＭＢＭＳサービスに関する情報を求めるクエリをＭＴ１０６に対して発するため、または非請求サービスリザルトコードの提示をイネーブルするために、設定型サービス構成コマンド４３２を使用した後に、ＴＥ１０４は、ＴＡ１０８からサービス情報メッセージ４３４を受け取ることができる。いくつかの実施形態では、サービス情報メッセージ４３４は、ＭＴ１０６で使用できる１つまたは複数のｅＭＢＭＳサービスを特定する情報を含み得る。種々の実施形態において、サービス情報メッセージ４３４は、ＭＴ１０６で使用中の１つまたは複数のｅＭＢＭＳサービスを特定する情報を含み得る。いくつかの実施形態では、サービス情報メッセージ４３４は、非請求サービスリザルトコードの提示をイネーブルするために設定型サービス構成コマンド４３２を使用したＴＥ１０４に対する応答として、非請求サービスリザルトコードによってＴＥ１０４に報告される情報を含み得る。実施形態は、この文脈に限定されない。
【００２２】
種々の実施形態において、ＴＥ１０４は、ＭＴ１０６をｅＭＢＭＳデータ状態に移行させるために、設定型データ状態移行コマンド４３６を使用することができる。いくつかの実施形態では、ＴＥ１０４は、設定型データ状態移行コマンド４３６内のパラメータを、ｅＭＢＭＳセッションを特定する値に設定することができ、ＭＴ１０６は、ｅＭＢＭＳデータ状態への移行に伴って、指定されたｅＭＢＭＳセッションのためのデータ転送用にチャネルを構成することができる。種々の実施形態において、ＴＥ１０４は、そのパラメータを、そのｅＭＢＭＳセッションのｅＭＢＭＳセッションＩＤの値に設定することができる。実施形態は、この文脈に限定されない。
【００２３】
いくつかの実施形態では、ＴＥ１０４は、そのｅＭＢＭＳサービスを享受することに興味があるテンポラリモバイルグループ識別子（ＴＭＧＩ）のリストをＭＴ１０６に提供するために、設定型カウント手順コマンド４３８を使用することができる。種々の実施形態において、ＴＥ１０４は、ｅＮＢ２１４によるＭＢＭＳカウント手順の開始に応じて、設定型カウント手順コマンド４３８をＴＡ１０８に送ることができる。そのようないくつかの実施形態では、ｅＮＢ２１４は、ＭＢＭＳＣｏｕｎｔｉｎｇＲｅｑｕｅｓｔメッセージをモバイルデバイス１０２に送信することによって、ＭＢＭＳカウント手順を開始することができる。種々の実施形態において、モバイルデバイス１０２は、ＭＢＭＳＣｏｕｎｔｉｎｇＲｅｑｕｅｓｔメッセージに応答して、ＭＢＭＳＣｏｕｎｔｉｎｇＲｅｓｐｏｎｓｅメッセージを送信することができる。いくつかの実施形態では、モバイルデバイス１０２は、設定型カウント手順コマンド４３８に含まれるＴＭＧＩリストに基づいて、ＭＢＭＳＣｏｕｎｔｉｎｇＲｅｓｐｏｎｓｅメッセージの内容を決定することができる。種々の実施形態において、ＴＥ１０４は、ＴＥ１０４が前に設定型カウント手順コマンド４３８によって提供したＴＭＧＩリストを示す情報を要求するために、リード型カウント手順コマンド４３８を使用することができる。実施形態は、この文脈に限定されない。
【００２４】
図５は、いくつかの実施形態においてｅＭＢＭＳをサポートするためのモバイルターミネーション制御技術の実装に伴って使用することができる１つまたは複数のｅＭＢＭＳ専用ＡＴコマンドの定義を表現し得るＡＴコマンド定義５００の一例を示している。例えば、ＡＴコマンド定義５００は、種々の実施形態による図４のコンフィギュレーションコマンド４２６のうちの１つまたは複数の定義を表し得る。より具体的には、ＡＴコマンド定義５００は、図４の設定型コンフィギュレーションコマンド４２６、リード型コンフィギュレーションコマンド４２６、およびテスト型コンフィギュレーションコマンド４２６の定義を表し得る。ＡＴコマンド定義５００は、コマンド名５０２、コマンドパラメータ５０４、コマンド構文テーブル５０６、コマンド説明セクション５０８、規定値セクション５１０、およびインプリメンテーションセクション５１２を含み得る。
【００２５】
図５に示すように、ＡＴコマンド定義５００に関連付けられたコマンド名５０２は、「ＭＴにおけるｅＭＢＭＳコンフィギュレーション」である。コマンドパラメータ５０４は、コマンド構文テーブル５０６に従って１つまたは複数の拡張ＡＴコマンドを構築するために使用することができるコマンドラインパラメータを構成し得る。本例では、コマンドパラメータ５０４は、値「＋ＣＥＭＢＭＳＣＦＧ」を有する。コマンド構文テーブル５０６は、「コマンド」カラムを有し、これにより、それぞれがコマンドパラメータ５０４の値を有する設定コマンド５１４、リードコマンド５１６、およびテストコマンド５１８の構文を定義している。コマンド構文テーブル５０６は、さらに「可能な応答」カラムを有し、これにより、設定コマンド５１４、リードコマンド５１６、およびテストコマンド５１８に対する可能な応答の構文を記述している。図４の設定型コンフィギュレーションコマンド４２６を表し得る設定コマンド５１４は、構文「＋ＣＥＭＢＭＳＣＦＧ＝＜ｓｅｔｕｐ＿ｃｆｇ＞」に従って構築され、このとき、＜ｓｅｔｕｐ＿ｃｆｇ＞は、これについて可能な値が規定値セクション５１０で指定されるパラメータである。図４のリード型コンフィギュレーションコマンド４２６を表し得るリードコマンド５１６は、構文「＋ＣＥＭＢＭＳＣＦＧ？」に従って構築される。図４のテスト型コンフィギュレーションコマンド４２６を表し得るテストコマンド５１８は、構文「＋ＣＥＭＢＭＳＣＦＧ＝？」に従って構築される。
【００２６】
コマンド説明セクション５０８に示すように、設定コマンド５１４は、ＭＴにおけるｅＭＢＭＳサポートをイネーブルおよびディスエーブルするために使用することができる。ｅＭＢＭＳがイネーブルされると、ＭＴは、３ＧＰＰ  ＴＳ  ３６．３３１の６．３．１項に準拠した情報要素ＳｙｓｔｅｍＩｎｆｏｒｍａｔｉｏｎＢｌｏｃｋＴｙｐｅ１３（ＳＩＢ−１３）を読み出す。ｅＭＢＭＳサービスがアクティブでないときに設定コマンド５１４が発行されると、「＋ＣＭＥ  ＥＲＲＯＲ」コードが返される。リードコマンド５１６は、ＭＴにおける現在のｅＭＢＭＳ構成設定を返す。テストコマンド５１８は、＜ｓｅｔｕｐ＿ｃｆｇ＞パラメータのサポートされている値を複合値として返す。規定値セクション５１０に示すように、サポートされている値は０と１であり、これらは、ＭＴにおいてｅＭＢＭＳサポートをイネーブルすべきか、またはディスエーブルすべきかを指定するために使用される。値「０」は、ＭＴにおけるｅＭＢＭＳサポートをディスエーブルするために使用される。ｅＭＢＭＳサポートがディスエーブルされているときには、ＭＴは、ｅＭＢＭＳサービスを受信していること、もしくは消費していることはなく、また、マルチキャスト制御チャネルを監視していることもない。値「１」は、ＭＴにおけるｅＭＢＭＳサポートをイネーブルするために使用される。インプリメンテーションセクション５１２に示すように、ＡＴコマンド定義５００で定義されるコマンドは、オプションコマンドである。実施形態は、この文脈に限定されない。
【００２７】
図６は、いくつかの実施形態においてｅＭＢＭＳをサポートするためのモバイルターミネーション制御技術の実装に伴って使用することができる１つまたは複数のｅＭＢＭＳ専用ＡＴコマンドの定義を表現し得るＡＴコマンド定義６００の一例を示している。例えば、ＡＴコマンド定義６００は、種々の実施形態による図４のステータス報告コマンド４２８のうちの１つまたは複数の定義を表し得る。より具体的には、ＡＴコマンド定義６００は、図４の設定型ステータス報告コマンド４２８、リード型ステータス報告コマンド４２８、およびテスト型ステータス報告コマンド４２８の定義を表し得る。ＡＴコマンド定義６００は、コマンド名６０２、コマンドパラメータ６０４、コマンド構文テーブル６０６、コマンド説明セクション６０８、規定値セクション６１０、およびインプリメンテーションセクション６１２を含み得る。
【００２８】
図６に示すように、ＡＴコマンド定義６００に関連付けられたコマンド名６０２は、「ＭＴにおけるｅＭＢＭＳステータス報告」である。コマンドパラメータ６０４は、コマンド構文テーブル６０６に従って１つまたは複数の拡張ＡＴコマンドを構築するために使用することができるコマンドラインパラメータを構成し得る。本例では、コマンドパラメータ６０４は、値「＋ＣＥＭＢＭＳＲ」を有する。コマンド構文テーブル６０６は、「コマンド」カラムを有し、これにより、それぞれがコマンドパラメータ６０４の値を有する設定コマンド６１４、リードコマンド６１６、およびテストコマンド６１８の構文を定義している。コマンド構文テーブル６０６は、さらに「可能な応答」カラムを有し、これにより、リードコマンド６１６およびテストコマンド６１８に対する可能な応答の構文を記述している。図４の設定型ステータス報告コマンド４２８を表し得る設定コマンド６１４は、構文「＋ＣＥＭＢＭＳＲ＝［＜ｎ＞］」に従って構築され、このとき、＜ｎ＞は、これについて可能な値が規定値セクション６１０で指定されるパラメータである。図４のリード型ステータス報告コマンド４２８を表し得るリードコマンド６１６は、構文「＋ＣＥＭＢＭＳＲ？」に従って構築される。図４のテスト型ステータス報告コマンド４２８を表し得るテストコマンド６１８は、構文「＋ＣＥＭＢＭＳＲ＝？」に従って構築される。
【００２９】
コマンド説明セクション６０８に示すように、設定コマンド６１４は、ｅＭＢＭＳセッションパラメータ値を報告するための非請求リザルトコード「＋ＣＥＭＢＭＳＲＩ：」の提示を制御するために使用することができる。そのようなｅＭＢＭＳセッションパラメータ値は、「＋ＣＥＭＢＭＳＣＦＧ」コマンドを使用してｅＭＢＭＳサービスがイネーブルされている場合にのみ報告される。設定コマンド６１４は、情報要素ＳｙｓｔｅｍＩｎｆｏｒｍａｔｉｏｎＢｌｏｃｋＴｙｐｅ１３（ＳＩＢ−１３）情報を読み出すための要求をＭＴにおいてトリガしない。リードコマンド６１６は、ＭＴにおける現在のｅＭＢＭＳ非請求リザルトコード設定を返す。テストコマンド６１８は、＜ｎ＞パラメータのサポートされている値を複合値として返す。規定値セクション６１０に示すように、サポートされている値は０と１であり、これらは、非請求リザルトコード「＋ＣＥＭＢＭＳＲＩ：」の提示を制御するために使用することができる。値「０」は、非請求リザルトコードの提示をディスエーブルするために使用することができ、値「１」は、非請求リザルトコードの提示をイネーブルするために使用することができる。インプリメンテーションセクション６１２に示すように、ＡＴコマンド定義６００で定義されるコマンドは、オプションコマンドである。
【００３０】
規定値セクション６１０は、非請求リザルトコード「＋ＣＥＭＢＭＳＲＩ：」の構文が、「＋ＣＥＭＢＭＳＲＩ：＜ｓｅｓｓｉｏｎ＿ｓｔａｔｕｓ＞，＜ｔｍｇｉ＞，＜ｅｍｂｍｓ＿ｓｅｓｓｉｏｎ＿ｉｄ＞［，＜ｔｍｇｉ＞，＜ｅｍｂｍｓ＿ｓｅｓｓｉｏｎ＿ｉｄ＞［...］］」であることを示している。ｅＭＢＭＳサポートがイネーブルされている場合には、＜ｓｅｓｓｉｏｎ＿ｓｔａｔｕｓ＞は、ｅＭＢＭＳセッションがアクティブ化されているのか、または非アクティブ化されているのかを示している。ｅＭＢＭＳセッションがアクティブ化されているときには、データ状態に移行するために、「＋ＣＥＭＢＭＳＤＡＴＡ」コマンドを使用することができる。＜ｓｅｓｓｉｏｎ＿ｓｔａｔｕｓ＞の値が「０」であると、ｅＭＢＭＳセッションが非アクティブ化されていることを示している。ｅＭＢＭＳセッションが非アクティブ化されているときには、ＭＴは、ｅＭＢＭＳサービスを受信していること、もしくは消費していることはないが、マルチキャスト制御チャネルを監視している。＜ｓｅｓｓｉｏｎ＿ｓｔａｔｕｓ＞の値が「１」であると、ｅＭＢＭＳセッションがアクティブ化されていることを示している。特定の＜ｔｍｇｉ＞パラメータの値は、ある特定のｅＭＢＭＳベアラサービスに割り当てられたテンポラリモバイルグループ識別子である。特定の＜ｅｍｂｍｓ＿ｓｅｓｓｉｏｎ＿ｉｄ＞パラメータの値は、ｅＭＢＭＳセッション識別子であり、これと＜ｔｍｇｉ＞パラメータの値との組み合わせによって、ある特定のｅＭＢＭＳセッションを識別することができる。実施形態は、この文脈に限定されない。
【００３１】
図７Ａは、いくつかの実施形態においてｅＭＢＭＳをサポートするためのモバイルターミネーション制御技術の実装に伴って使用することができる１つまたは複数のｅＭＢＭＳ専用ＡＴコマンドの定義を表現し得るＡＴコマンド定義７００の一例を示している。例えば、ＡＴコマンド定義７００は、種々の実施形態による図４のサービス構成コマンド４３２のうちの１つまたは複数の定義を表し得る。より具体的には、ＡＴコマンド定義７００は、図４の設定型サービス構成コマンド４３２、リード型サービス構成コマンド４３２、およびテスト型サービス構成コマンド４３２の定義を表し得る。ＡＴコマンド定義７００は、コマンド名７０２、コマンドパラメータ７０４、コマンド構文テーブル７０６、コマンド説明セクション７０８、規定値セクション７１０、およびインプリメンテーションセクション７１２を含み得る。
【００３２】
図７Ａに示すように、ＡＴコマンド定義７００に関連付けられたコマンド名７０２は、「ｅＭＢＭＳサービス構成」である。コマンドパラメータ７０４は、コマンド構文テーブル７０６に従って１つまたは複数の拡張ＡＴコマンドを構築するために使用することができるコマンドラインパラメータを構成し得る。本例では、コマンドパラメータ７０４は、値「＋ＣＥＭＢＭＳＳＲＶ」を有する。コマンド構文テーブル７０６は、「コマンド」カラムを有し、これにより、それぞれがコマンドパラメータ７０４の値を有する設定コマンド７１４、リードコマンド７１６、およびテストコマンド７１８の構文を定義している。コマンド構文テーブル７０６は、さらに「可能な応答」カラムを有し、これにより、設定コマンド７１４、リードコマンド７１６、およびテストコマンド７１８に対する可能な応答の構文を記述している。図４の設定型サービス構成コマンド４３２を表し得る設定コマンド７１４は、構文「＋ＣＥＭＢＭＳＳＲＶ＝［＜ｎ＞［，＜ｅｍｂｍｓ＿ｓｅｒｖｉｃｅ＞［，＜ｔｍｇｉ＞］］］」に従って構築され、このとき、＜ｎ＞、＜ｅｍｂｍｓ＿ｓｅｒｖｉｃｅ＞、および＜ｔｍｇｉ＞は、これについて可能な値が規定値セクション７１０で指定されるパラメータである。図４のリード型サービス構成コマンド４３２を表し得るリードコマンド７１６は、構文「＋ＣＥＭＢＭＳＳＲＶ？」に従って構築される。図４のテスト型サービス構成コマンド４３２を表し得るテストコマンド７１８は、構文「＋ＣＥＭＢＭＳＳＲＶ＝？」に従って構築される。
【００３３】
コマンド説明セクション７０８に示すように、設定コマンド７１４は、サービス変更インディケーションを求めるクエリを発してリッスンするため、ならびに、ｅＭＢＭＳサービス情報、ＴＭＧＩ、およびｅＭＢＭＳセッション識別子を報告するための非請求リザルトコード「＋ＣＥＭＢＭＳＳＲＶＩ：」の提示を制御するため、に使用することができる。コマンド説明セクション７０８は、非請求リザルトコード「＋ＣＥＭＢＭＳＳＲＶＩ：」の構文が、「＋ＣＥＭＢＭＳＳＲＶＩ：＜ｓｅｒｖｉｃｅ＿ｔｙｐｅ＞，＜ｎｏ＿ｓｅｒｖｉｃｅｓ＿ｉｎｆｏ＞，＜ｔｍｇｉ＞［，＜ｅｍｂｍｓ＿ｓｅｓｓｉｏｎ＿ｉｄ＞［，＜ｔｍｇｉ＞［，＜ｅｍｂｍｓ＿ｓｅｓｓｉｏｎ＿ｉｄ＞［...］］］］」であることを示している。ｅＭＢＭＳがアクティブでないときに設定コマンド７１４が発行されると、「＋ＣＭＥ  ＥＲＲＯＲ」コードが返される。リードコマンド７１６は、端末のリザルトコード設定を返す。テストコマンド７１８は、＜ｎ＞および＜ｅｍｂｍｓ＿ｓｅｒｖｉｃｅ＞パラメータのサポートされている値を複合値として返す。インプリメンテーションセクション７１２に示すように、ＡＴコマンド定義７００で定義されるコマンドは、オプションコマンドである。
【００３４】
図７Ｂは、図７Ａの規定値セクション７１０の内容を示している。図７Ｂの規定値セクション７１０に示すように、図７Ａの＜ｎ＞パラメータのサポートされている値は０と１であり、これらは、ｅＭＢＭＳ非請求リザルトコード「＋ＣＥＭＢＭＳＳＲＶＩ：」の提示を制御するために使用することができる。値「０」は、ｅＭＢＭＳ非請求リザルトコードをディスエーブルするために使用することができ、値「１」は、ｅＭＢＭＳ非請求リザルトコードをイネーブルするために使用することができる。図７Ａの＜ｅｍｂｍｓ＿ｓｅｒｖｉｃｅ＞パラメータのサポートされている値は、０、１、２、３、および４であり、これらは、ｅＭＢＭＳサービスについてクエリを発するため、およびｅＭＢＭＳサービスを構成するために使用することができる。値「０」は、ＭＴで使用できるｅＭＢＭＳサービスについてクエリを発するために使用することができる。値「１」は、ＭＴで使用中のｅＭＢＭＳサービスについてクエリを発するために使用することができる。値「２」は、ＭＴで使用するｅＭＢＭＳサービスを構成するために使用することができる。値「３」は、ＭＴによるｅＭＢＭＳサービスの使用を構成解除するために使用することができる。値「４」は、ＭＴで使用するｅＭＢＭＳサービスの現在の構成を維持するために使用することができる。値「４」は、ＭＴで使用されるデフォルト値を構成し得る。
【００３５】
規定値セクション７１０は、さらに、非請求リザルトコード「＋ＣＥＭＢＭＳＳＲＶＩ：」の＜ｓｅｒｖｉｃｅ＿ｔｙｐｅ＞、＜ｎｏ＿ｓｅｒｖｉｃｅｓ＿ｉｎｆｏ＞、＜ｔｍｇｉ＞、および＜ｅｍｂｍｓ＿ｓｅｓｓｉｏｎ＿ｉｄ＞パラメータについても記述しており、その構文は図７Ａのコマンド説明セクション７０８に提示されている。規定値セクション７１０に示すように、＜ｓｅｒｖｉｃｅ＿ｔｙｐｅ＞パラメータのサポートされている値は０と１であり、これらは、そのｅＭＢＭＳサービスをＭＴで使用可能であるのか、またはＭＴで使用中であるのか、を示している。値「０」は、そのｅＭＢＭＳサービスをＭＴで使用可能であることを示しており、一方、値「１」は、そのｅＭＢＭＳサービスをＭＴで使用中であることを示している。＜ｎｏ＿ｓｅｒｖｉｃｅｓ＿ｉｎｆｏ＞パラメータは、ある特定の＜ｓｅｒｖｉｃｅ＿ｔｙｐｅ＞値について情報が報告されるｅＭＢＭＳサービスの数を示している。特定の＜ｔｍｇｉ＞パラメータの値は、ある特定のｅＭＢＭＳベアラサービスに割り当てられたテンポラリモバイルグループ識別子である。特定の＜ｅｍｂｍｓ＿ｓｅｓｓｉｏｎ＿ｉｄ＞パラメータの値は、オプションのｅＭＢＭＳセッション識別子であり、これと＜ｔｍｇｉ＞パラメータの値との組み合わせによって、ある特定のｅＭＢＭＳセッションを識別することができる。実施形態は、この文脈に限定されない。
【００３６】
図８は、いくつかの実施形態においてｅＭＢＭＳをサポートするためのモバイルターミネーション制御技術の実装に伴って使用することができる１つまたは複数のｅＭＢＭＳ専用ＡＴコマンドの定義を表現し得るＡＴコマンド定義８００の一例を示している。例えば、ＡＴコマンド定義８００は、種々の実施形態による図４のデータ状態移行コマンド４３６のうちの１つまたは複数の定義を表し得る。より具体的には、ＡＴコマンド定義８００は、図４の設定型データ状態移行コマンド４３６およびテスト型データ状態移行コマンド４３６の定義を表し得る。ＡＴコマンド定義８００は、コマンド名８０２、コマンドパラメータ８０４、コマンド構文テーブル８０６、コマンド説明セクション８０８、規定値セクション８１０、およびインプリメンテーションセクション８１２を含み得る。
【００３７】
図８に示すように、ＡＴコマンド定義８００に関連付けられたコマンド名８０２は、「ｅＭＢＭＳデータ状態移行」である。コマンドパラメータ８０４は、コマンド構文テーブル８０６に従って１つまたは複数の拡張ＡＴコマンドを構築するために使用することができるコマンドラインパラメータを構成し得る。本例では、コマンドパラメータ８０４は、値「＋ＣＥＭＢＭＳＤＡＴＡ」を有する。コマンド構文テーブル８０６は、「コマンド」カラムを有し、これにより、その両方ともがコマンドパラメータ８０４の値を有する設定コマンド８１４およびテストコマンド８１８の構文を定義している。コマンド構文テーブル８０６は、さらに「可能な応答」カラムを有し、これにより、設定コマンド８１４に対する可能な応答の構文を記述している。図４の設定型データ状態移行コマンド４３６を表し得る設定コマンド８１４は、構文「＋ＣＥＭＢＭＳＤＡＴＡ＝＜ｅｍｂｍｓ＿ｓｅｓｓｉｏｎ＿ｉｄ＞」に従って構築され、このとき、＜ｅｍｂｍｓ＿ｓｅｓｓｉｏｎ＿ｉｄ＞は、規定値セクション８１０に記述されているパラメータである。図４のテスト型データ状態移行コマンド４３６を表し得るテストコマンド８１８は、構文「＋ＣＥＭＢＭＳＤＡＴＡ＝？」に従って構築される。
【００３８】
コマンド説明セクション８０８に示すように、設定コマンド８１４は、指定したｅＭＢＭＳセッションのためのデータ転送用にチャネルを構成することによってｅＭＢＭＳデータ状態に移行するために使用することができる。ＭＴは、設定コマンド８１４に応じて、ｅＭＢＭＳデータ状態に移行した後には、それ以降のＡＴコマンドを処理しなくてよい。ｅＭＢＭＳデータ転送が完了するか、またはｅＭＢＭＳセッションが非アクティブになると、ＭＴは、ｅＭＢＭＳデータ状態を終了し得る。ｅＭＢＭＳがアクティブでないときに設定コマンド８１４が発行された場合には、「＋ＣＭＥ  ＥＲＲＯＲ」コードを返すことができる。規定値セクション８１０は、＜ｅｍｂｍｓ＿ｓｅｓｓｉｏｎ＿ｉｄ＞パラメータの値が、ｅＭＢＭＳセッション識別子を構成していることを示しており、これとＴＭＧＩとの組み合わせによって、ある特定のｅＭＢＭＳセッションを識別することができる。インプリメンテーションセクション８１２に示すように、ＡＴコマンド定義８００で定義されるコマンドは、オプションコマンドである。実施形態は、この文脈に限定されない。
【００３９】
図９は、いくつかの実施形態においてｅＭＢＭＳをサポートするためのモバイルターミネーション制御技術の実装に伴って使用することができる１つまたは複数のｅＭＢＭＳ専用ＡＴコマンドの定義を表現し得るＡＴコマンド定義９００の一例を示している。例えば、ＡＴコマンド定義９００は、種々の実施形態による図４のカウント手順コマンド４３８のうちの１つまたは複数の定義を表し得る。より具体的には、ＡＴコマンド定義９００は、図４の設定型カウント手順コマンド４３８、リード型カウント手順コマンド４３８、およびテスト型カウント手順コマンド４３８の定義を表し得る。ＡＴコマンド定義９００は、コマンド名９０２、コマンドパラメータ９０４、コマンド構文テーブル９０６、コマンド説明セクション９０８、規定値セクション９１０、およびインプリメンテーションセクション９１２を含み得る。
【００４０】
図９に示すように、ＡＴコマンド定義９００に関連付けられたコマンド名９０２は、「ｅＭＢＭＳカウント手順」である。コマンドパラメータ９０４は、コマンド構文テーブル９０６に従って１つまたは複数の拡張ＡＴコマンドを構築するために使用することができるコマンドラインパラメータを構成し得る。本例では、コマンドパラメータ９０４は、値＋ＣＥＭＢＭＳＣＮＴ」を有する。コマンド構文テーブル９０６は、「コマンド」カラムを有し、これにより、それぞれがコマンドパラメータ９０４の値を有する設定コマンド９１４、リードコマンド９１６、およびテストコマンド９１８の構文を定義している。コマンド構文テーブル９０６は、さらに「可能な応答」カラムを有し、これにより、設定コマンド９１４、リードコマンド９１６、およびテストコマンド９１８に対する可能な応答の構文を記述している。図４の設定型カウント手順コマンド４３８を表し得る設定コマンド９１４は、構文「＋ＣＥＭＢＭＳＣＮＴ＝＜ｔｍｇｉ＞［，＜ｔｍｇｉ＞［，...］］」に従って構築され、このとき、＜ｔｍｇｉ＞は、規定値セクション９１０に記述されているパラメータである。図４のリード型カウント手順コマンド４３８を表し得るリードコマンド９１６は、構文「＋ＣＥＭＢＭＳＣＮＴ？」に従って構築される。図４のテスト型カウント手順コマンド４３８を表し得るテストコマンド９１８は、構文「＋ＣＥＭＢＭＳＣＮＴ＝？」に従って構築される。
【００４１】
コマンド説明セクション９０８に示すように、設定コマンド９１４は、そのｅＭＢＭＳサービスを享受することにユーザが興味のあるＴＭＧＩのリストを設定するために使用することができる。ｅＭＢＭＳがアクティブでないときに設定コマンド９１４が発行された場合には、「＋ＣＭＥ  ＥＲＲＯＲ」コードを返すことができる。リードコマンド９１６は、そのｅＭＢＭＳサービスを享受することにユーザが興味のあるＴＭＧＩのリストを取得するために使用することができる。規定値セクション９１０に示すように、特定の＜ｔｍｇｉ＞パラメータの値は、ある特定のｅＭＢＭＳベアラサービスに割り当てられたテンポラリモバイルグループ識別子である。インプリメンテーションセクション９１２に示すように、ＡＴコマンド定義９００で定義されるコマンドは、オプションコマンドである。実施形態は、この文脈に限定されない。
【００４２】
上記の実施形態のオペレーションについては、以下の図面および付随する例を参照してさらに説明され得る。それらの図面のいくつかは、論理フローを含み得る。本明細書で提示するそのような図面は、具体的な論理フローを含み得るが、その論理フローは、本明細書に記載の全体的な機能をいかにして実装できるのかという例を単に提示するものにすぎないことは理解できるであろう。さらに、提示される論理フローは、特に指定のない限り、必ずしも提示された順序で実行される必要はない。また、提示される論理フローは、ハードウェア要素、プロセッサで実行されるソフトウェア要素、またはその任意の組み合わせによって実装することができる。実施形態は、この文脈に限定されない。
【００４３】
図１０は、いくつかの実施形態においてｅＭＢＭＳをサポートするためのモバイルターミネーション制御技術の実装形態を表現し得る論理フロー１０００の一例を示している。例えば、論理フロー１０００は、種々の実施形態により図４の運用環境４００でＴＥ１０４によって実行することができるオペレーションを表し得る。図１０に示すように、１００２で、ＭＴにおけるｅＭＢＭＳサポートをイネーブルするために、ＡＴコマンドを送ることができる。例えば、図４のＴＥ１０４は、ＭＴ１０６におけるｅＭＢＭＳサポートをイネーブルするために、設定型コンフィギュレーションコマンド４２６を送ることができる。１００４で、ＭＴで使用できるｅＭＢＭＳサービスに関するクエリをＭＴに発するために、ＡＴコマンドを送ることができる。例えば、図４のＴＥ１０４は、ＭＴ１０６で使用できるｅＭＢＭＳサービス２１２に関するクエリをＭＴ１０６に発するために、設定型サービス構成コマンド４３２を送ることができる。
【００４４】
１００６で、１つまたは複数の使用できるｅＭＢＭＳサービスを記述する情報を受け取ることができる。例えば、図４のＴＥ１０４は、１つまたは複数の使用できるｅＭＢＭＳサービス２１２を記述する情報を含むサービス情報メッセージ４３４を受け取ることができる。１００８で、１つまたは複数の使用できるｅＭＢＭＳサービスのうちの少なくとも１つを使用するようにＭＴを構成するために、ＡＴコマンドを送ることができる。例えば、図４のＴＥ１０４は、１つまたは複数の使用できるｅＭＢＭＳサービス２１２のうちの少なくとも１つを使用するようにＭＴ１０６を構成するために、設定型サービス構成コマンド４３２を送ることができる。１０１０で、その少なくとも１つのｅＭＢＭＳサービスに関連付けられたｅＭＢＭＳセッションに関するデータ状態にＭＴを移行させるために、ＡＴコマンドを送ることができる。例えば、図４のＴＥ１０４は、１００８で使用のために構成された少なくとも１つの使用できるサービスに関連付けられたｅＭＢＭＳセッションに関するデータ状態にＭＴ１０６を移行させるために、設定型データ状態移行コマンド４３６を送ることができる。１０１２で、データ状態のＭＴの動作中に、その少なくとも１つのｅＭＢＭＳサービスを介してデータを受け取ることができる。例えば、図４のＴＥ１０４は、ＭＴ１０６で使用するように１００８で構成された少なくとも１つの使用できるｅＭＢＭＳサービスを介して、データを受け取ることができる。実施形態は、これらの例に限定されない。
【００４５】
図１１は、記憶媒体１１００の実施形態を示している。記憶媒体１１００は、光学、磁気、または半導体記憶媒体のような任意の非一時的なコンピュータ可読記憶媒体またはマシン可読記憶媒体を含み得る。種々の実施形態において、記憶媒体１１００は、製造品を構成し得る。いくつかの実施形態では、記憶媒体１１００は、図１０の論理フロー１０００を実装するためのコンピュータ実行可能命令のような、コンピュータ実行可能命令を格納することができる。コンピュータ可読記憶媒体またはマシン可読記憶媒体の例として、リムーバブルメモリもしくは非リムーバブルメモリ、消去可能メモリもしくは消去不可メモリ、書込可能メモリもしくは書換可能メモリなどの、揮発性メモリまたは不揮発性メモリを含む、電子データを格納することが可能な任意の有形媒体を含むことができる。コンピュータ実行可能命令の例として、ソースコード、コンパイル済みコード、解釈済みコード、実行可能コード、静的コード、動的コード、オブジェクト指向コード、ビジュアルコードなどのような、任意の適切なタイプのコードを含むことができる。実施形態は、この文脈に限定されない。
【００４６】
図１２は、図４のモバイルデバイス１０２、図１０の論理フロー１０００、図１１の記憶媒体１１００、のうちの１つまたは複数を実現し得る通信デバイス１２００の実施形態を示している。種々の実施形態において、デバイス１２００は、論理回路１２２８を有し得る。論理回路１２２８は、例えば、図４のモバイルデバイス１０２および図１０の論理フロー１０００のうちの１つまたは複数について説明したオペレーションを実行するための物理回路を含み得る。図１２に示すように、デバイス１２００は、ラジオインタフェース１２１０と、ベースバンド回路１２２０と、コンピューティングプラットフォーム１２３０とを備え得るが、ただし実施形態は、この構成に限定されない。
【００４７】
デバイス１２００は、完全に単一のデバイス内にあるなどの単一のコンピューティングエンティティにおいて、図４のモバイルデバイス１０２、図１０の論理フロー１０００、図１１の記憶媒体１１００、論理回路１２２８、のうちの１つまたは複数について、その構造および／またはオペレーションの一部またはすべてを実現することができる。あるいは、デバイス１２００は、クライアント・サーバアーキテクチャ、３層アーキテクチャ、Ｎ層アーキテクチャ、密結合またはクラスタアーキテクチャ、ピアツーピアアーキテクチャ、マスタ・スレーブアーキテクチャ、共有データベースアーキテクチャ、および他のタイプの分散システムのような分散システムアーキテクチャを用いて、図４のモバイルデバイス１０２、図１０の論理フロー１０００、図１１の記憶媒体１１００、論理回路１２２８、のうちの１つまたは複数について、その構造および／またはオペレーションのいくつかの部分を複数のコンピューティングエンティティに分散させることができる。実施形態は、この文脈に限定されない。
【００４８】
一実施形態では、ラジオインタフェース１２１０は、（例えば、相補型符号変調（ＣＣＫ）、直交周波数分割多重（ＯＦＤＭ）、および／またはシングルキャリア周波数分割多重アクセス（ＳＣ−ＦＤＭＡ）シンボルを含む）シングルキャリアまたはマルチキャリア変調信号を送信および／または受信するように構成されたコンポーネントもしくはコンポーネントの組み合わせを有し得るが、ただし実施形態は、いずれかの特定の空中（ｏｖｅｒ−ｔｈｅ−ａｉｒ）インタフェースまたは変調方式に限定されない。ラジオインタフェース１２１０は、例えば、レシーバ１２１２、周波数シンセサイザ１２１４、および／またはトランスミッタ１２１６を有し得る。ラジオインタフェース１２１０は、バイアスコントロール、水晶発振器、および／または１つまたは複数のアンテナ１２１８−ｆを有し得る。他の実施形態では、ラジオインタフェース１２１０は、必要に応じて、外部の電圧制御発振器（ＶＣＯ）、弾性表面波フィルタ、中間周波数（ＩＦ）フィルタ、および／またはＲＦフィルタを使用することができる。可能なＲＦインタフェース設計は多様であるため、その広範な説明は省略する。
【００４９】
ベースバンド回路１２２０は、受信信号および／または送信信号を処理するためにラジオインタフェース１２１０と通信することができ、例えば、受信信号をダウンコンバートするためのアナログ・デジタル変換器１２２２、信号を送信用にアップコンバートするためのデジタル・アナログ変換器１２２４を有し得る。さらに、ベースバンド回路１２２０は、個々の受信／送信信号のＰＨＹリンク層処理のためのベースバンドまたは物理層（ＰＨＹ）処理回路１２２６を有し得る。ベースバンド回路１２２０は、例えば、ＭＡＣ／データリンク層処理のための媒体アクセス制御（ＭＡＣ）処理回路１２２７を有し得る。ベースバンド回路１２２０は、例えば、１つまたは複数のインタフェース１２３４を介したＭＡＣ処理回路１２２７および／またはコンピューティングプラットフォーム１２３０による通信のためのメモリコントローラ１２３２を有し得る。
【００５０】
いくつかの実施形態では、ＰＨＹ処理回路１２２６は、通信フレームを構築および／または分解するために、バッファメモリのような追加回路と組み合わせて、フレーム構築および／または検出モジュールを含み得る。代替的または追加的に、ＭＡＣ処理回路１２２７は、これらの機能のうちのいくつかの処理を共有するか、またはこれらのプロセスをＰＨＹ処理回路１２２６とは独立に実行することができる。いくつかの実施形態では、ＭＡＣおよびＰＨＹ処理を１つの回路に統合することができる。
【００５１】
コンピューティングプラットフォーム１２３０は、デバイス１２００にコンピューティング機能を提供し得る。図示のように、コンピューティングプラットフォーム１２３０は、処理コンポーネント１２４０を有し得る。デバイス１２００は、ベースバンド回路１２２０に対して追加的または代替的に、処理コンポーネント１２４０を用いて、図４のモバイルデバイス１０２、図１０の論理フロー１０００、図１１の記憶媒体１１００、論理回路１２２８、のうちの１つまたは複数について、その処理オペレーションまたはロジックを実行することができる。処理コンポーネント１２４０（および／またはＰＨＹ１２２６および／またはＭＡＣ１２２７）は、各種ハードウェア要素、ソフトウェア要素、またはその両方の組み合わせを含み得る。ハードウェア要素の例として、デバイス、論理デバイス、コンポーネント、プロセッサ、マイクロプロセッサ、回路、プロセッサ回路、回路素子（例えば、トランジスタ、抵抗器、キャパシタ、インダクタなど）、集積回路、特定用途向け集積回路（ＡＳＩＣ）、プログラマブルロジックデバイス（ＰＬＤ）、デジタル信号プロセッサ（ＤＳＰ）、フィールドプログラマブルゲートアレイ（ＦＰＧＡ）、メモリユニット、論理ゲート、レジスタ、半導体デバイス、チップ、マイクロチップ、チップセットなどを含むことができる。ソフトウェア要素の例として、ソフトウェアコンポーネント、プログラム、アプリケーション、コンピュータプログラム、アプリケーションプログラム、システムプログラム、ソフトウェア開発プログラム、マシンプログラム、オペレーティングシステムソフトウェア、ミドルウェア、ファームウェア、ソフトウェアモジュール、ルーチン、サブルーチン、関数、メソッド、プロシージャ、ソフトウェアインタフェース、アプリケーションプログラムインタフェース（ＡＰＩ）、命令セット、コンピューティングコード、コンピュータコード、コードセグメント、コンピュータコードセグメント、ワード、値、シンボル、またはその任意の組み合わせを含むことができる。ハードウェア要素および／またはソフトウェア要素を用いて実施形態を実装するかどうかの判断は、所望の計算速度、電力レベル、熱耐性、処理サイクルバジェット、入力データレート、出力データレート、メモリ資源、データバス速度、および他の設計制約または性能制約など、所与の実装形態について要求される任意の数のファクタに応じて異なる判断となり得る。
【００５２】
コンピューティングプラットフォーム１２３０は、さらに、他のプラットフォームコンポーネント１２５０を有し得る。他のプラットフォームコンポーネント１２５０は、１つまたは複数のプロセッサ、マルチコアプロセッサ、コプロセッサ、メモリユニット、チップセット、コントローラ、周辺機器、インタフェース、発振器、タイミング装置、ビデオカード、オーディオカード、マルチメディア入力／出力（Ｉ／Ｏ）コンポーネント（例えば、デジタルディスプレイ）、パワーサプライなどのような、一般的な計算要素を含む。メモリユニットの例として、限定するものではないが、リードオンリメモリ（ＲＯＭ）、ランダムアクセスメモリ（ＲＡＭ）、ダイナミックＲＡＭ（ＤＲＡＭ）、ダブルデータレートＤＲＡＭ（ＤＤＲＡＭ）、同期ＤＲＡＭ（ＳＤＲＡＭ）、スタティックＲＡＭ（ＳＲＡＭ）、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、フラッシュメモリ、強誘電性ポリマーメモリのようなポリマーメモリ、オボニックメモリ、相変化または強誘電体メモリ、シリコン／酸化膜／窒化膜／酸化膜／シリコン（ＳＯＮＯＳ）メモリ、磁気または光カード、独立ディスクの冗長アレイ（ＲＡＩＤ）ドライブのようなデバイスアレイ、ソリッドステートメモリデバイス（例えば、ＵＳＢメモリ、ソリッドステートドライブ（ＳＳＤ））、および情報を保存するのに適した他の任意のタイプの記憶媒体のような、１つまたは複数のより高速のメモリユニットの形態の各種タイプのコンピュータ可読およびマシン可読記憶媒体を含むことができる。
【００５３】
デバイス１２００は、例えば、ウルトラモバイルデバイス、モバイルデバイス、固定デバイス、マシンツーマシン（Ｍ２Ｍ）デバイス、パーソナルデジタルアシスタント（ＰＤＡ）、モバイルコンピューティングデバイス、スマートフォン、電話機、デジタル電話機、セルラ電話機、ユーザ装置、電子書籍リーダ、ハンドセット、一方向ページャ、双方向ページャ、メッセージング装置、コンピュータ、パーソナルコンピュータ（ＰＣ）、デスクトップコンピュータ、ラップトップコンピュータ、ノートブックコンピュータ、ネットブックコンピュータ、ハンドヘルドコンピュータ、タブレットコンピュータ、サーバ、サーバアレイまたはサーバファーム、ウェブサーバ、ネットワークサーバ、インターネットサーバ、ワークステーション、ミニコンピュータ、メインフレームコンピュータ、スーパーコンピュータ、ネットワークアプライアンス、ウェブアプライアンス、分散コンピューティングシステム、マルチプロセッサシステム、プロセッサベースのシステム、家電機器、プログラマブル家電機器、ゲーム機、ディスプレイ、テレビ、デジタルテレビ、セットトップボックス、ワイヤレスアクセスポイント、基地局、ノードＢ、加入者局、モバイル加入者センタ、ラジオネットワークコントローラ、ルータ、ハブ、ゲートウェイ、ブリッジ、スイッチ、マシン、またはその組み合わせであり得る。従って、本明細書に記載のデバイス１２００の機能および／または具体的な構成は、要求に応じて適宜、デバイス１２００の種々の実施形態に含むことも、または省くこともできる。
【００５４】
デバイス１２００の実施形態は、単入力単出力（ＳＩＳＯ）アーキテクチャを用いて実現することができる。一方、いくかの実装形態では、ビームフォーミングまたは空間分割多重アクセス（ＳＤＭＡ）のための適応アンテナ技術、および／またはＭＩＭＯ通信技術を用いた送信および／または受信用のマルチアンテナ（例えば、アンテナ１２１８−ｆ）を備えることができる。
【００５５】
デバイス１２００のコンポーネントおよび機能は、ディスクリート回路、特定用途向け集積回路（ＡＳＩＣ）、論理ゲート、および／またはシングルチップアーキテクチャの任意の組み合わせを用いて実装することができる。さらに、デバイス１２００の機能は、必要に応じて適宜、マイクロコントローラ、プログラマブルロジックアレイ、および／またはマイクロプロセッサ、またはその任意の組み合わせを用いて実装することができる。なお、本明細書において、ハードウェア、ファームウェア、および／またはソフトウェア要素を、「ロジック」または「回路」と総称または個称する場合があるということに留意すべきである。
【００５６】
図１２のブロック図に示す例示的なデバイス１２００は、多くの可能性のある実装形態の１つの機能的説明例を表し得るということは理解されるべきである。従って、添付の図面に示す機能ブロックの分割、省略、または組み込みは、必ずしも、実施形態における、それらの機能を実装するためのハードウェアコンポーネント、回路、ソフトウェア、および／または要素の分割、省略、または組み込みを推測させるものではない。
【００５７】
図１３は、広帯域無線アクセスシステム１３００の実施形態を示している。図１３に示すように、広帯域無線アクセスシステム１３００は、インターネット１３１０への移動無線アクセスおよび／または固定無線アクセスをサポートすることが可能なインターネット１３１０型ネットワークなどを含むインターネットプロトコル（ＩＰ）型ネットワークであり得る。１つまたは複数の実施形態において、広帯域無線アクセスシステム１３００は、３ＧＰＰ  ＬＴＥ仕様および／またはＩＥＥＥ８０２．１６規格の１つまたは複数に準拠したシステムなど、任意のタイプの直交周波数分割多重アクセス（ＯＦＤＭＡ）ベースまたはシングルキャリア周波数分割多重アクセス（ＳＣ−ＦＤＭＡ）ベースの無線ネットワークを含むことができるが、特許請求の範囲は、この点に関して限定されない。
【００５８】
例示的な広帯域無線アクセスシステム１３００では、１つまたは複数の固定デバイス１３１６とインターネット１３１０との間、および／または１つまたは複数のモバイルデバイス１３２２とインターネット１３１０との間の無線通信を提供するために、ラジオアクセスネットワーク（ＲＡＮ）１３１２および１３１８を、発展型ノードＢ（ｅＮＢ）１３１４および１３２０とそれぞれ結び付けることができる。固定デバイス１３１６およびモバイルデバイス１３２２の一例は、図１２のデバイス１２００であり、固定デバイス１３１６は据置型のデバイス１２００を構成し、モバイルデバイス１３２２は携帯型のデバイス１２００を構成している。ＲＡＮ１３１２および１３１８は、広帯域無線アクセスシステム１３００における１つまたは複数の物理エンティティへのネットワーク機能のマッピングを規定することが可能なプロファイルを実装し得る。ｅＮＢ１３１４および１３２０は、デバイス１２００を参照して説明したような固定デバイス１３１６および／またはモバイルデバイス１３２２とのＲＦ通信を提供するための無線装置を備えることができ、例えば、３ＧＰＰ  ＬＴＥ仕様またはＩＥＥＥ８０２．１６規格に準拠したＰＨＹおよびＭＡＣ層装置を備えることができる。ｅＮＢ１３１４および１３２０は、さらに、それぞれＲＡＮ１３１２および１３１８を介してインターネット１３１０に接続するためのＩＰバックプレーンを備え得るが、ただし特許請求の範囲は、この点に関して限定されない。
【００５９】
広帯域無線アクセスシステム１３００は、さらに、訪問先コアネットワーク（ＣＮ）１３２４および／またはホームＣＮ１３２６を含むことができ、これらはそれぞれ、限定するものではないが、例えば、認証、認可、および課金（ＡＡＡ）機能、動的ホスト構成プロトコル（ＤＨＣＰ）機能、またはドメインネームサービス制御など、公衆交換電話網（ＰＳＴＮ）ゲートウェイまたはボイスオーバインターネットプロトコル（ＶｏＩＰ）ゲートウェイのようなドメインゲートウェイ、および／またはインターネットプロトコル（ＩＰ）型サーバ機能など、プロキシおよび／またはリレー型機能を含む１つまたは複数のネットワーク機能を提供することが可能であり得る。しかしながら、これらは、訪問先ＣＮ１３２４および／またはホームＣＮ１３２６によって提供することが可能な機能のタイプの単なる例にすぎず、特許請求の範囲は、この点に関して限定されない。訪問先ＣＮ１３２４は、訪問先ＣＮ１３２４が固定デバイス１３１６またはモバイルデバイス１３２２の通常のサービスプロバイダの一部ではない場合に訪問先ＣＮと呼ばれることがあり、例えば、固定デバイス１３１６またはモバイルデバイス１３２２がその個々のホームＣＮ１３２６の外にローミング中である場合、または広帯域無線アクセスシステム１３００は固定デバイス１３１６またはモバイルデバイス１３２２の通常のサービスプロバイダの一部であるが、広帯域無線アクセスシステム１３００が固定デバイス１３１６またはモバイルデバイス１３２２のメインロケーションまたはホームロケーションではない他のロケーションまたは状態にあり得る場合に、訪問先ＣＮと呼ばれることがある。実施形態は、この文脈に限定されない。
【００６０】
固定デバイス１３１６は、家庭または企業の中もしくは近辺など、それぞれｅＮＢ１３１４と１３２０およびＲＡＮ１３１２と１３１８ならびにホームＣＮ１３２６を介してインターネット１３１０への広帯域アクセスを家庭顧客または企業顧客に提供するためのｅＮＢ１３１４および１３２０の一方または両方の圏内のいずれかの場所に位置し得る。なお、固定デバイス１３１６は、概して定常位置に配置されるが、必要に応じて異なる場所に移動させてもよいということに留意すべきである。モバイルデバイス１３２２は、例えば、モバイルデバイス１３２２がｅＮＢ１３１４および１３２０の一方または両方の圏内にある場合に、１つまたは複数の場所で使用することができる。１つまたは複数の実施形態によれば、広帯域無線アクセスシステム１３００の管理機能を提供するため、および広帯域無線アクセスシステム１３００の機能エンティティ間のインタフェースを提供するために、オペレーションサポートシステム（ＯＳＳ）１３２８を、広帯域無線アクセスシステム１３００の一部とすることができる。図１３の広帯域無線アクセスシステム１３００は、広帯域無線アクセスシステム１３００のコンポーネントのいくつかを示す単なる一タイプの無線ネットワークにすぎず、特許請求の範囲は、この点に関して限定されない。
【００６１】
種々の実施形態は、ハードウェア要素、ソフトウェア要素、またはその両方の組み合わせを用いて実装され得る。ハードウェア要素の例として、プロセッサ、マイクロプロセッサ、回路、回路素子（例えば、トランジスタ、抵抗器、キャパシタ、インダクタなど）、集積回路、特定用途向け集積回路（ＡＳＩＣ）、プログラマブルロジックデバイス（ＰＬＤ）、デジタル信号プロセッサ（ＤＳＰ）、フィールドプログラマブルゲートアレイ（ＦＰＧＡ）、論理ゲート、レジスタ、半導体デバイス、チップ、マイクロチップ、チップセットなどを含むことができる。ソフトウェアの例として、ソフトウェアコンポーネント、プログラム、アプリケーション、コンピュータプログラム、アプリケーションプログラム、システムプログラム、マシンプログラム、オペレーティングシステムソフトウェア、ミドルウェア、ファームウェア、ソフトウェアモジュール、ルーチン、サブルーチン、関数、メソッド、プロシージャ、ソフトウェアインタフェース、アプリケーションプログラムインタフェース（ＡＰＩ）、命令セット、コンピューティングコード、コンピュータコード、コードセグメント、コンピュータコードセグメント、ワード、値、シンボル、またはその任意の組み合わせを含むことができる。ハードウェア要素および／またはソフトウェア要素を用いて実施形態を実装するかどうかの判断は、所望の計算速度、電力レベル、熱耐性、処理サイクルバジェット、入力データレート、出力データレート、メモリ資源、データバス速度、および他の設計制約または性能制約など、任意の数のファクタに応じて異なる判断となり得る。
【００６２】
少なくとも１つの実施形態の１つまたは複数の態様は、マシンで読み取ることで本明細書に記載の技術を実行するためのロジックをマシンに構成させるような、各種ロジックをプロセッサ内で表現するマシン可読媒体に格納された表現命令によって実装することができる。「ＩＰコア」として知られるそのような表現は、有形のマシン可読媒体に格納して、様々な顧客または製造施設に供給することができ、これにより、実際にロジックまたはプロセッサを構成する製造機器にロードされる。いくつかの実施形態は、例えば、マシンで実行することで実施形態による方法および／またはオペレーションをマシンに実行させることができる命令または命令のセットを格納し得るマシン可読媒体または物品を用いて実現することができる。そのようなマシンとして、例えば、任意の適切な処理プラットフォーム、コンピューティングプラットフォーム、コンピューティングデバイス、処理デバイス、コンピューティングシステム、処理システム、コンピュータ、プロセッサなどを含むことができ、ハードウェアおよび／またはソフトウェアの任意の適切な組み合わせを用いて実現することができる。マシン可読媒体または物品として、例えば、任意の適切なタイプのメモリユニット、メモリデバイス、メモリ物品、メモリ媒体、記憶デバイス、記憶物品、記憶媒体、および／または記憶ユニットを含むことができ、例えば、メモリ、リムーバブル媒体もしくは非リムーバブル媒体、消去可能媒体もしくは消去不可媒体、書込可能媒体もしくは書換可能媒体、デジタル媒体もしくはアナログ媒体、ハードディスク、フロッピー（登録商標）ディスク、コンパクトディスクリードオンリメモリ（ＣＤ−ＲＯＭ）、コンパクトディスクレコーダブル（ＣＤ−Ｒ）、コンパクトディスクリライタブル（ＣＤ−ＲＷ）、光ディスク、磁気媒体、光磁気媒体、リムーバブルメモリカードもしくはディスク、各種タイプのデジタル多用途ディスク（ＤＶＤ）、テープ、カセットなどを含むことができる。命令として、任意の適切な高水準プログラミング言語、低水準プログラミング言語、オブジェクト指向プログラミング言語、ビジュアルプログラミング言語、コンパイル型プログラミング言語、および／またはインタプリタ型プログラミング言語を用いて実装される、ソースコード、コンパイル済みコード、解釈済みコード、実行可能コード、静的コード、動的コード、暗号化コードなどのような任意の適切なタイプのコードを含むことができる。
【００６３】
例１は、少なくとも一部がハードウェア内にあるロジックを備えた装置であって、そのロジックは、モバイルターミネーション（ＭＴ）において発展型マルチメディアブロードキャスト・マルチキャストサービス（ｅＭＢＭＳ）のサポートをイネーブルする第１のＡＴコマンドを送るため、ＭＴで使用できるｅＭＢＭＳサービスに関するクエリをＭＴに発する第２のＡＴコマンドを送るため、第２のＡＴコマンドへの応答として１つまたは複数の使用できるｅＭＢＭＳサービスを記述する情報を受け取るため、および１つまたは複数の使用できるｅＭＢＭＳサービスのうちの少なくとも１つを使用するようにＭＴを構成する第３のＡＴコマンドを送るため、のものである。
【００６４】
例２は、例１の装置であって、そのロジックは、その少なくとも１つのｅＭＢＭＳサービスに関連付けられたｅＭＢＭＳセッションに関するデータ状態にＭＴを移行させる第４のＡＴコマンドを送るため、およびデータ状態のＭＴの動作中に少なくとも１つのｅＭＢＭＳサービスを介してデータを受け取るため、のものである。
【００６５】
例３は、例１の装置であって、第１のＡＴコマンドは、ＭＴにマルチキャスト制御チャネル（ＭＣＣＨ）を監視させるためのものである。
【００６６】
例４は、例３の装置であって、そのロジックは、ＭＴにおけるｅＭＢＭＳサポートをディスエーブルする第５のＡＴコマンドを送るためのものであり、第５のＡＴコマンドは、ＭＴにＭＣＣＨの監視を中断させるためのものである。
【００６７】
例５は、例１の装置であって、そのロジックは、ｅＭＢＭＳセッションパラメータ値を報告するための非請求リザルトコードの提示をイネーブルする第６のＡＴコマンドを送るためのものである。
【００６８】
例６は、例１の装置であって、そのロジックは、ＭＴで使用するｅＭＢＭＳサービスに関するクエリをＭＴに発する第７のＡＴコマンドを送るためのものである。
【００６９】
例７は、例６の装置であって、そのロジックは、第７のＡＴコマンドへの応答として１つまたは複数の使用されるｅＭＢＭＳサービスを記述する情報を受け取るため、および１つまたは複数の使用されるｅＭＢＭＳサービスのうちの少なくとも１つのＭＴによる使用を構成解除する第８のＡＴコマンドを送るため、のものである。
【００７０】
例８は、例１の装置であって、そのロジックは、興味があるｅＭＢＭＳサービスに関連付けられたテンポラリモバイルグループ識別子（ＴＭＧＩ）のリストをＭＴに提供する第９のＡＴコマンドを送るためのものである。
【００７１】
例９は、例１〜８のいずれかによる装置と、少なくとも１つのラジオ周波数（ＲＦ）トランシーバと、少なくとも１つのＲＦアンテナと、を備えるユーザ装置（ＵＥ）である。
【００７２】
例１０は、命令のセットを含む少なくとも１つの非一時的なコンピュータ可読記憶媒体であって、命令は、コンピューティングデバイスにおいて実行されることに応答して、モバイルターミネーション（ＭＴ）で使用できるｅＭＢＭＳサービスに関するクエリをＭＴに発する第１の発展型マルチメディアブロードキャスト・マルチキャストサービス（ｅＭＢＭＳ）専用ＡＴコマンドを送ることと、第１のｅＭＢＭＳ専用ＡＴコマンドへの応答として１つまたは複数の使用できるｅＭＢＭＳサービスを記述する情報を受け取ることと、１つまたは複数の使用できるｅＭＢＭＳサービスのうちの少なくとも１つを使用するようにＭＴを構成する第２のｅＭＢＭＳ専用ＡＴコマンドを送ることと、その少なくとも１つのｅＭＢＭＳサービスに関連付けられたｅＭＢＭＳセッションに関するデータ状態にＭＴを移行させる第３のｅＭＢＭＳ専用ＡＴコマンドを送ることと、ｅＭＢＭＳセッションを介して少なくとも１つのｅＭＢＭＳサービスのデータを受け取ることと、をコンピューティングデバイスに実行させるものである。
【００７３】
例１１は、例１０の少なくとも１つの非一時的なコンピュータ可読記憶媒体であって、コンピューティングデバイスにおいて実行されると、ｅＭＢＭＳセッションパラメータ値を報告するための非請求リザルトコードの提示をイネーブルする第４のｅＭＢＭＳ専用ＡＴコマンドを送ることをコンピューティングデバイスに実行させる命令を含む。
【００７４】
例１２は、例１０の少なくとも１つの非一時的なコンピュータ可読記憶媒体であって、コンピューティングデバイスにおいて実行されると、ＭＴで使用するｅＭＢＭＳサービスに関するクエリをＭＴに発する第５のｅＭＢＭＳ専用ＡＴコマンドを送ることをコンピューティングデバイスに実行させる命令を含む。
【００７５】
例１３は、例１２の少なくとも１つの非一時的なコンピュータ可読記憶媒体であって、コンピューティングデバイスにおいて実行されると、第５のｅＭＢＭＳ専用ＡＴコマンドへの応答として１つまたは複数の使用されるｅＭＢＭＳサービスを記述する情報を受け取ることと、１つまたは複数の使用されるｅＭＢＭＳサービスのうちの少なくとも１つのＭＴによる使用を構成解除する第６のｅＭＢＭＳ専用ＡＴコマンドを送ることと、をコンピューティングデバイスに実行させる命令を含む。
【００７６】
例１４は、例１０の少なくとも１つの非一時的なコンピュータ可読記憶媒体であって、コンピューティングデバイスにおいて実行されると、興味があるｅＭＢＭＳサービスに関連付けられたテンポラリモバイルグループ識別子（ＴＭＧＩ）のリストをＭＴに提供する第７のｅＭＢＭＳ専用ＡＴコマンドを送ることをコンピューティングデバイスに実行させる命令を含む。
【００７７】
例１５は、例１０の少なくとも１つの非一時的なコンピュータ可読記憶媒体であって、コンピューティングデバイスにおいて実行されると、ＭＴにおけるｅＭＢＭＳサポートをディスエーブルする第８のｅＭＢＭＳ専用ＡＴコマンドを送ることをコンピューティングデバイスに実行させる命令を含む。
【００７８】
例１６は、例１５の少なくとも１つの非一時的なコンピュータ可読記憶媒体であって、第８のｅＭＢＭＳ専用ＡＴコマンドは、ＭＴにマルチキャスト制御チャネル（ＭＣＣＨ）の監視を中断させるためのものである。
【００７９】
例１７は、例１６の少なくとも１つの非一時的なコンピュータ可読記憶媒体であって、コンピューティングデバイスにおいて実行されると、ＭＴにおけるｅＭＢＭＳサポートをイネーブルする第９のｅＭＢＭＳ専用ＡＴコマンドを送ることをコンピューティングデバイスに実行させる命令を含み、第９のｅＭＢＭＳ専用ＡＴコマンドは、ＭＴにＭＣＣＨを監視させるためのものである。
【００８０】
例１８は、モバイルターミネーション（ＭＴ）と、少なくとも一部がハードウェア内にあるロジックを有する端末装置（ＴＥ）と、を備えるユーザ装置（ＵＥ）であって、そのロジックは、ＭＴにおいて発展型マルチメディアブロードキャスト・マルチキャストサービス（ｅＭＢＭＳ）のサポートをイネーブルする第１のＡＴコマンドを送るため、ＭＴで使用できる１つまたは複数のｅＭＢＭＳサービスを特定するため、１つまたは複数の使用できるｅＭＢＭＳサービスのうちの少なくとも１つを使用するようにＭＴを構成する第２のＡＴコマンドを送るため、およびデータ状態のＭＴの動作中にｅＭＢＭＳセッションを介して少なくとも１つのｅＭＢＭＳサービスのデータを受け取るため、のものである。
【００８１】
例１９は、例１８のＵＥであって、そのロジックは、ＭＴをデータ状態に移行させる第３のＡＴコマンドを送るためのものである。
【００８２】
例２０は、例１８のＵＥであって、第１のＡＴコマンドは、ＭＴにマルチキャスト制御チャネル（ＭＣＣＨ）を監視させるためのものである。
【００８３】
例２１は、例２０のＵＥであって、そのロジックは、ＭＴにおけるｅＭＢＭＳサポートをディスエーブルする第４のＡＴコマンドを送るためのものであり、第４のＡＴコマンドは、ＭＴにＭＣＣＨの監視を中断させるためのものである。
【００８４】
例２２は、例１８のＵＥであって、そのロジックは、ｅＭＢＭＳセッションパラメータ値を報告するための非請求リザルトコードの提示をイネーブルする第５のＡＴコマンドを送るためのものである。
【００８５】
例２３は、例１８のＵＥであって、そのロジックは、ＭＴで使用できるサービスに関するクエリをＭＴに発する第６のＡＴコマンドを送るため、および第６のＡＴコマンドへの応答として受け取る情報に基づいて１つまたは複数の使用できるｅＭＢＭＳサービスを特定するため、のものである。
【００８６】
例２４は、例１８のＵＥであって、そのロジックは、ＭＴで使用するｅＭＢＭＳサービスに関するクエリをＭＴに発する第７のＡＴコマンドを送るためのものである。
【００８７】
例２５は、例２４のＵＥであって、そのロジックは、第７のＡＴコマンドへの応答として１つまたは複数の使用されるｅＭＢＭＳサービスを記述する情報を受け取るため、および１つまたは複数の使用されるｅＭＢＭＳサービスのうちの少なくとも１つのＭＴによる使用を構成解除する第８のＡＴコマンドを送るため、のものである。
【００８８】
例２６は、例１８〜２５のいずれかのＵＥであって、少なくとも１つのラジオ周波数（ＲＦ）トランシーバと、少なくとも１つのＲＦアンテナと、を備える。
【００８９】
例２７は、ＭＴで使用できるｅＭＢＭＳサービスに関するクエリをモバイルターミネーション（ＭＴ）に発する第１の発展型マルチメディアブロードキャスト・マルチキャストサービス（ｅＭＢＭＳ）専用ＡＴコマンドを端末装置（ＴＥ）から送ることと、第１のｅＭＢＭＳ専用ＡＴコマンドへの応答として１つまたは複数の使用できるｅＭＢＭＳサービスを記述する情報を受け取ることと、１つまたは複数の使用できるｅＭＢＭＳサービスのうちの少なくとも１つを使用するようにＭＴを構成する第２のｅＭＢＭＳ専用ＡＴコマンドを送ることと、その少なくとも１つのｅＭＢＭＳサービスに関連付けられたｅＭＢＭＳセッションに関するデータ状態にＭＴを移行させる第３のｅＭＢＭＳ専用ＡＴコマンドを送ることと、ｅＭＢＭＳセッションを介して少なくとも１つのｅＭＢＭＳサービスのデータを受け取ることと、を含む方法である。
【００９０】
例２８は、例２７の方法であって、ｅＭＢＭＳセッションパラメータ値を報告するための非請求リザルトコードの提示をイネーブルする第４のｅＭＢＭＳ専用ＡＴコマンドを送ることを含む。
【００９１】
例２９は、例２７の方法であって、ＭＴで使用するｅＭＢＭＳサービスに関するクエリをＭＴに発する第５のｅＭＢＭＳ専用ＡＴコマンドを送ることを含む。
【００９２】
例３０は、例２９の方法であって、第５のｅＭＢＭＳ専用ＡＴコマンドへの応答として１つまたは複数の使用されるｅＭＢＭＳサービスを記述する情報を受け取ることと、１つまたは複数の使用されるｅＭＢＭＳサービスのうちの少なくとも１つのＭＴによる使用を構成解除する第６のｅＭＢＭＳ専用ＡＴコマンドを送ることと、を含む。
【００９３】
例３１は、例２７の方法であって、興味があるｅＭＢＭＳサービスに関連付けられたテンポラリモバイルグループ識別子（ＴＭＧＩ）のリストをＭＴに提供する第７のｅＭＢＭＳ専用ＡＴコマンドを送ることを含む。
【００９４】
例３２は、例２７の方法であって、ＭＴにおけるｅＭＢＭＳサポートをディスエーブルする第８のｅＭＢＭＳ専用ＡＴコマンドを送ることを含む。
【００９５】
例３３は、例３２の方法であって、第８のｅＭＢＭＳ専用ＡＴコマンドは、ＭＴにマルチキャスト制御チャネル（ＭＣＣＨ）の監視を中断させるためのものである。
【００９６】
例３４は、例３３の方法であって、ＭＴにおけるｅＭＢＭＳサポートをイネーブルする第９のｅＭＢＭＳ専用ＡＴコマンドを送ることを含み、第９のｅＭＢＭＳ専用ＡＴコマンドは、ＭＴにＭＣＣＨを監視させるためのものである。
【００９７】
例３５は、命令のセットを含む少なくとも１つの非一時的なコンピュータ可読記憶媒体であって、命令は、コンピューティングデバイスにおいて実行されることに応答して、例２７〜３４のいずれかによる方法をコンピューティングデバイスに実行させるものである。
【００９８】
例３６は、例２７〜３４のいずれかによる方法を実行するための手段を備える装置である。
【００９９】
例３７は、例３６の装置と、少なくとも１つのラジオ周波数（ＲＦ）トランシーバと、少なくとも１つのＲＦアンテナと、を備えるシステムである。
【０１００】
例３８は、命令のセットを含む少なくとも１つの非一時的なコンピュータ可読記憶媒体であって、命令は、コンピューティングデバイスにおいて実行されることに応答して、モバイルターミネーション（ＭＴ）において発展型マルチメディアブロードキャスト・マルチキャストサービス（ｅＭＢＭＳ）のサポートをイネーブルする第１のＡＴコマンドを送ることと、ＭＴで使用できる１つまたは複数のｅＭＢＭＳサービスを特定することと、１つまたは複数の使用できるｅＭＢＭＳサービスのうちの少なくとも１つを使用するようにＭＴを構成する第２のＡＴコマンドを送ることと、データ状態のＭＴの動作中にｅＭＢＭＳセッションを介して少なくとも１つのｅＭＢＭＳサービスのデータを受け取ることと、をコンピューティングデバイスに実行させるものである。
【０１０１】
例３９は、例３８の少なくとも１つの非一時的なコンピュータ可読記憶媒体であって、コンピューティングデバイスにおいて実行されると、ＭＴをデータ状態に移行させる第３のＡＴコマンドを送ることをコンピューティングデバイスに実行させる命令を含む。
【０１０２】
例４０は、例３８の少なくとも１つの非一時的なコンピュータ可読記憶媒体であって、第１のＡＴコマンドは、ＭＴにマルチキャスト制御チャネル（ＭＣＣＨ）を監視させるためのものである。
【０１０３】
例４１は、例４０の少なくとも１つの非一時的なコンピュータ可読記憶媒体であって、コンピューティングデバイスにおいて実行されると、ＭＴにおけるｅＭＢＭＳサポートをディスエーブルする第４のＡＴコマンドを送ることをコンピューティングデバイスに実行させる命令を含み、第４のＡＴコマンドは、ＭＴにＭＣＣＨの監視を中断させるためのものである。
【０１０４】
例４２は、例３８の少なくとも１つの非一時的なコンピュータ可読記憶媒体であって、コンピューティングデバイスにおいて実行されると、ｅＭＢＭＳセッションパラメータ値を報告するための非請求リザルトコードの提示をイネーブルする第５のＡＴコマンドを送ることをコンピューティングデバイスに実行させる命令を含む。
【０１０５】
例４３は、例３８の少なくとも１つの非一時的なコンピュータ可読記憶媒体であって、コンピューティングデバイスにおいて実行されると、ＭＴで使用できるサービスに関するクエリをＭＴに発する第６のＡＴコマンドを送ることと、第６のＡＴコマンドへの応答として受け取る情報に基づいて１つまたは複数の使用できるｅＭＢＭＳサービスを特定することと、をコンピューティングデバイスに実行させる命令を含む。
【０１０６】
例４４は、例３８の少なくとも１つの非一時的なコンピュータ可読記憶媒体であって、コンピューティングデバイスにおいて実行されると、ＭＴで使用するｅＭＢＭＳサービスに関するクエリをＭＴに発する第７のＡＴコマンドを送ることをコンピューティングデバイスに実行させる命令を含む。
【０１０７】
例４５は、例４４の少なくとも１つの非一時的なコンピュータ可読記憶媒体であって、コンピューティングデバイスにおいて実行されると、第７のＡＴコマンドへの応答として１つまたは複数の使用されるｅＭＢＭＳサービスを記述する情報を受け取ることと、１つまたは複数の使用されるｅＭＢＭＳサービスのうちの少なくとも１つのＭＴによる使用を構成解除する第８のＡＴコマンドを送ることと、をコンピューティングデバイスに実行させる命令を含む。
【０１０８】
例４６は、モバイルターミネーション（ＭＴ）と、少なくとも一部がハードウェア内にあるロジックを有する端末装置（ＴＥ）と、を備えるユーザ装置（ＵＥ）であって、そのロジックは、ＭＴにおいて発展型マルチメディアブロードキャスト・マルチキャストサービス（ｅＭＢＭＳ）のサポートをイネーブルする第１のＡＴコマンドを送るため、ＭＴで使用できるｅＭＢＭＳサービスに関するクエリをＭＴに発する第２のＡＴコマンドを送るため、第２のＡＴコマンドへの応答として１つまたは複数の使用できるｅＭＢＭＳサービスを記述する情報を受け取るため、および１つまたは複数の使用できるｅＭＢＭＳサービスのうちの少なくとも１つを使用するようにＭＴを構成する第３のＡＴコマンドを送るため、のものである。
【０１０９】
例４７は、例４６のＵＥであって、そのロジックは、その少なくとも１つのｅＭＢＭＳサービスに関連付けられたｅＭＢＭＳセッションに関するデータ状態にＭＴを移行させる第４のＡＴコマンドを送るため、およびデータ状態のＭＴの動作中に少なくとも１つのｅＭＢＭＳサービスを介してデータを受け取るため、のものである。
【０１１０】
例４８は、例４６のＵＥであって、第１のＡＴコマンドは、ＭＴにマルチキャスト制御チャネル（ＭＣＣＨ）を監視させるためのものである。
【０１１１】
例４９は、例４８のＵＥであって、そのロジックは、ＭＴにおけるｅＭＢＭＳサポートをディスエーブルする第５のＡＴコマンドを送るためのものであり、第５のＡＴコマンドは、ＭＴにＭＣＣＨの監視を中断させるためのものである。
【０１１２】
例５０は、例４６のＵＥであって、そのロジックは、ｅＭＢＭＳセッションパラメータ値を報告するための非請求リザルトコードの提示をイネーブルする第６のＡＴコマンドを送るためのものである。
【０１１３】
例５１は、例４６のＵＥであって、そのロジックは、ＭＴで使用するｅＭＢＭＳサービスに関するクエリをＭＴに発する第７のＡＴコマンドを送るためのものである。
【０１１４】
例５２は、例５１のＵＥであって、そのロジックは、第７のＡＴコマンドへの応答として１つまたは複数の使用されるｅＭＢＭＳサービスを記述する情報を受け取るため、および１つまたは複数の使用されるｅＭＢＭＳサービスのうちの少なくとも１つのＭＴによる使用を構成解除する第８のＡＴコマンドを送るため、のものである。
【０１１５】
例５３は、例４６のＵＥであって、そのロジックは、興味があるｅＭＢＭＳサービスに関連付けられたテンポラリモバイルグループ識別子（ＴＭＧＩ）のリストをＭＴに提供する第９のＡＴコマンドを送るためのものである。
【０１１６】
例５４は、例４６〜５３のいずれかのＵＥであって、少なくとも１つのラジオ周波数（ＲＦ）トランシーバと、少なくとも１つのＲＦアンテナと、を備える。
【０１１７】
例５５は、モバイルターミネーション（ＭＴ）において発展型マルチメディアブロードキャスト・マルチキャストサービス（ｅＭＢＭＳ）のサポートをイネーブルする第１のＡＴコマンドを端末装置（ＴＥ）から送ることと、ＭＴで使用できる１つまたは複数のｅＭＢＭＳサービスを特定することと、１つまたは複数の使用できるｅＭＢＭＳサービスのうちの少なくとも１つを使用するようにＭＴを構成する第２のＡＴコマンドを送ることと、データ状態のＭＴの動作中にｅＭＢＭＳセッションを介して少なくとも１つのｅＭＢＭＳサービスのデータを受け取ることと、を含む方法である。
【０１１８】
例５６は、例５５の方法であって、ＭＴをデータ状態に移行させる第３のＡＴコマンドを送ることを含む。
【０１１９】
例５７は、例５５の方法であって、第１のＡＴコマンドは、ＭＴにマルチキャスト制御チャネル（ＭＣＣＨ）を監視させるためのものである。
【０１２０】
例５８は、例５７の方法であって、ＭＴにおけるｅＭＢＭＳサポートをディスエーブルする第４のＡＴコマンドを送ることを含み、第４のＡＴコマンドは、ＭＴにＭＣＣＨの監視を中断させるためのものである。
【０１２１】
例５９は、例５５の方法であって、ｅＭＢＭＳセッションパラメータ値を報告するための非請求リザルトコードの提示をイネーブルする第５のＡＴコマンドを送ることを含む。
【０１２２】
例６０は、例５５の方法であって、ＭＴで使用できるサービスに関するクエリをＭＴに発する第６のＡＴコマンドを送ることと、第６のＡＴコマンドへの応答として受け取る情報に基づいて１つまたは複数の使用できるｅＭＢＭＳサービスを特定することと、を含む。
【０１２３】
例６１は、例５５の方法であって、ＭＴで使用するｅＭＢＭＳサービスに関するクエリをＭＴに発する第７のＡＴコマンドを送ることを含む。
【０１２４】
例６２は、例６１の方法であって、第７のＡＴコマンドへの応答として１つまたは複数の使用されるｅＭＢＭＳサービスを記述する情報を受け取ることと、１つまたは複数の使用されるｅＭＢＭＳサービスのうちの少なくとも１つのＭＴによる使用を構成解除する第８のＡＴコマンドを送ることと、を含む。
【０１２５】
例６３は、命令のセットを含む少なくとも１つの非一時的なコンピュータ可読記憶媒体であって、命令は、コンピューティングデバイスにおいて実行されることに応答して、例５５〜６２のいずれかによる方法をコンピューティングデバイスに実行させるものである。
【０１２６】
例６４は、例５５〜６２のいずれかによる方法を実行するための手段を備える装置である。
【０１２７】
例６５は、例６４の装置と、少なくとも１つのラジオ周波数（ＲＦ）トランシーバと、少なくとも１つのＲＦアンテナと、を備えるシステムである。
【０１２８】
例６６は、モバイルターミネーション（ＭＴ）において発展型マルチメディアブロードキャスト・マルチキャストサービス（ｅＭＢＭＳ）のサポートをイネーブルする第１のＡＴコマンドを送るための手段と、ＭＴで使用できるｅＭＢＭＳサービスに関するクエリをＭＴに発する第２のＡＴコマンドを送るための手段と、第２のＡＴコマンドへの応答として１つまたは複数の使用できるｅＭＢＭＳサービスを記述する情報を受け取るための手段と、１つまたは複数の使用できるｅＭＢＭＳサービスのうちの少なくとも１つを使用するようにＭＴを構成する第３のＡＴコマンドを送るための手段と、を備える装置である。
【０１２９】
例６７は、例６６の装置であって、その少なくとも１つのｅＭＢＭＳサービスに関連付けられたｅＭＢＭＳセッションに関するデータ状態にＭＴを移行させる第４のＡＴコマンドを送るための手段と、データ状態のＭＴの動作中に少なくとも１つのｅＭＢＭＳサービスを介してデータを受け取るための手段と、を備える。
【０１３０】
例６８は、例６６の装置であって、第１のＡＴコマンドは、ＭＴにマルチキャスト制御チャネル（ＭＣＣＨ）を監視させるためのものである。
【０１３１】
例６９は、例６８の装置であって、ＭＴにおけるｅＭＢＭＳサポートをディスエーブルする第５のＡＴコマンドを送るための手段を備え、第５のＡＴコマンドは、ＭＴにＭＣＣＨの監視を中断させるためのものである。
【０１３２】
例７０は、例６６の装置であって、ｅＭＢＭＳセッションパラメータ値を報告するための非請求リザルトコードの提示をイネーブルする第６のＡＴコマンドを送るための手段を備える。
【０１３３】
例７１は、例６６の装置であって、ＭＴで使用するｅＭＢＭＳサービスに関するクエリをＭＴに発する第７のＡＴコマンドを送るための手段を備える。
【０１３４】
例７２は、例７１の装置であって、第７のＡＴコマンドへの応答として１つまたは複数の使用されるｅＭＢＭＳサービスを記述する情報を受け取るための手段と、１つまたは複数の使用されるｅＭＢＭＳサービスのうちの少なくとも１つのＭＴによる使用を構成解除する第８のＡＴコマンドを送るための手段と、を備える。
【０１３５】
例７３は、例６６の装置であって、興味があるｅＭＢＭＳサービスに関連付けられたテンポラリモバイルグループ識別子（ＴＭＧＩ）のリストをＭＴに提供する第９のＡＴコマンドを送るための手段を備える。
【０１３６】
例７４は、例６６〜７３のいずれかによる装置と、少なくとも１つのラジオ周波数（ＲＦ）トランシーバと、少なくとも１つのＲＦアンテナと、を備えるユーザ装置（ＵＥ）である。
【０１３７】
例７５は、モバイルターミネーション（ＭＴ）と、少なくとも一部がハードウェア内にあるロジックを有する端末装置（ＴＥ）と、を備えるユーザ装置（ＵＥ）であって、そのロジックは、ＭＴで使用できるｅＭＢＭＳサービスに関するクエリをＭＴに発する第１の発展型マルチメディアブロードキャスト・マルチキャストサービス（ｅＭＢＭＳ）専用ＡＴコマンドを送るため、第１のｅＭＢＭＳ専用ＡＴコマンドへの応答として１つまたは複数の使用できるｅＭＢＭＳサービスを記述する情報を受け取るため、１つまたは複数の使用できるｅＭＢＭＳサービスのうちの少なくとも１つを使用するようにＭＴを構成する第２のｅＭＢＭＳ専用ＡＴコマンドを送るため、その少なくとも１つのｅＭＢＭＳサービスに関連付けられたｅＭＢＭＳセッションに関するデータ状態にＭＴを移行させる第３のｅＭＢＭＳ専用ＡＴコマンドを送るため、およびｅＭＢＭＳセッションを介して少なくとも１つのｅＭＢＭＳサービスのデータを受け取るため、のものである。
【０１３８】
例７６は、例７５のＵＥであって、そのロジックは、ｅＭＢＭＳセッションパラメータ値を報告するための非請求リザルトコードの提示をイネーブルする第４のｅＭＢＭＳ専用ＡＴコマンドを送るためのものである。
【０１３９】
例７７は、例７５のＵＥであって、そのロジックは、ＭＴで使用するｅＭＢＭＳサービスに関するクエリをＭＴに発する第５のｅＭＢＭＳ専用ＡＴコマンドを送るためのものである。
【０１４０】
例７８は、例７７のＵＥであって、そのロジックは、第５のｅＭＢＭＳ専用ＡＴコマンドへの応答として１つまたは複数の使用されるｅＭＢＭＳサービスを記述する情報を受け取るため、および１つまたは複数の使用されるｅＭＢＭＳサービスのうちの少なくとも１つのＭＴによる使用を構成解除する第６のｅＭＢＭＳ専用ＡＴコマンドを送るため、のものである。
【０１４１】
例７９は、例７５のＵＥであって、そのロジックは、興味があるｅＭＢＭＳサービスに関連付けられたテンポラリモバイルグループ識別子（ＴＭＧＩ）のリストをＭＴに提供する第７のｅＭＢＭＳ専用ＡＴコマンドを送るためのものである。
【０１４２】
例８０は、例７５のＵＥであって、そのロジックは、ＭＴにおけるｅＭＢＭＳサポートをディスエーブルする第８のｅＭＢＭＳ専用ＡＴコマンドを送るためのものである。
【０１４３】
例８１は、例８０のＵＥであって、第８のｅＭＢＭＳ専用ＡＴコマンドは、ＭＴにマルチキャスト制御チャネル（ＭＣＣＨ）の監視を中断させるためのものである。
【０１４４】
例８２は、例８１のＵＥであって、そのロジックは、ＭＴにおけるｅＭＢＭＳサポートをイネーブルする第９のｅＭＢＭＳ専用ＡＴコマンドを送るためのものであり、第９のｅＭＢＭＳ専用ＡＴコマンドは、ＭＴにＭＣＣＨを監視させるためのものである。
【０１４５】
例８３は、例７５〜８２のいずれかのＵＥであって、少なくとも１つのラジオ周波数（ＲＦ）トランシーバと、少なくとも１つのＲＦアンテナと、を備える。
【０１４６】
例８４は、モバイルターミネーション（ＭＴ）において発展型マルチメディアブロードキャスト・マルチキャストサービス（ｅＭＢＭＳ）のサポートをイネーブルする第１のＡＴコマンドを端末装置（ＴＥ）から送ることと、ＭＴで使用できるｅＭＢＭＳサービスに関するクエリをＭＴに発する第２のＡＴコマンドを送ることと、第２のＡＴコマンドへの応答として１つまたは複数の使用できるｅＭＢＭＳサービスを記述する情報を受け取ることと、１つまたは複数の使用できるｅＭＢＭＳサービスのうちの少なくとも１つを使用するようにＭＴを構成する第３のＡＴコマンドを送ることと、を含む方法である。
【０１４７】
例８５は、例８４の方法であって、その少なくとも１つのｅＭＢＭＳサービスに関連付けられたｅＭＢＭＳセッションに関するデータ状態にＭＴを移行させる第４のＡＴコマンドを送ることと、データ状態のＭＴの動作中に少なくとも１つのｅＭＢＭＳサービスを介してデータを受け取ることと、を含む。
【０１４８】
例８６は、例８４の方法であって、第１のＡＴコマンドは、ＭＴにマルチキャスト制御チャネル（ＭＣＣＨ）を監視させるためのものである。
【０１４９】
例８７は、例８６の方法であって、ＭＴにおけるｅＭＢＭＳサポートをディスエーブルする第５のＡＴコマンドを送ることを含み、第５のＡＴコマンドは、ＭＴにＭＣＣＨの監視を中断させるためのものである。
【０１５０】
例８８は、例８４の方法であって、ｅＭＢＭＳセッションパラメータ値を報告するための非請求リザルトコードの提示をイネーブルする第６のＡＴコマンドを送ることを含む。
【０１５１】
例８９は、例８４の方法であって、ＭＴで使用するｅＭＢＭＳサービスに関するクエリをＭＴに発する第７のＡＴコマンドを送ることを含む。
【０１５２】
例９０は、例８９の方法であって、第７のＡＴコマンドへの応答として１つまたは複数の使用されるｅＭＢＭＳサービスを記述する情報を受け取ることと、１つまたは複数の使用されるｅＭＢＭＳサービスのうちの少なくとも１つのＭＴによる使用を構成解除する第８のＡＴコマンドを送ることと、を含む。
【０１５３】
例９１は、例８４の方法であって、興味があるｅＭＢＭＳサービスに関連付けられたテンポラリモバイルグループ識別子（ＴＭＧＩ）のリストをＭＴに提供する第９のＡＴコマンドを送ることを含む。
【０１５４】
例９２は、命令のセットを含む少なくとも１つの非一時的なコンピュータ可読記憶媒体であって、命令は、コンピューティングデバイスにおいて実行されることに応答して、例８４〜９１のいずれかによる方法をコンピューティングデバイスに実行させるものである。
【０１５５】
例９３は、例８４〜９１のいずれかによる方法を実行するための手段を備える装置である。
【０１５６】
例９４は、例９３の装置と、少なくとも１つのラジオ周波数（ＲＦ）トランシーバと、少なくとも１つのＲＦアンテナと、を備えるシステムである。
【０１５７】
例９５は、ＭＴで使用できるｅＭＢＭＳサービスに関するクエリをモバイルターミネーション（ＭＴ）に発する第１の発展型マルチメディアブロードキャスト・マルチキャストサービス（ｅＭＢＭＳ）専用ＡＴコマンドを送るための手段と、第１のｅＭＢＭＳ専用ＡＴコマンドへの応答として１つまたは複数の使用できるｅＭＢＭＳサービスを記述する情報を受け取るための手段と、１つまたは複数の使用できるｅＭＢＭＳサービスのうちの少なくとも１つを使用するようにＭＴを構成する第２のｅＭＢＭＳ専用ＡＴコマンドを送るための手段と、その少なくとも１つのｅＭＢＭＳサービスに関連付けられたｅＭＢＭＳセッションに関するデータ状態にＭＴを移行させる第３のｅＭＢＭＳ専用ＡＴコマンドを送るための手段と、ｅＭＢＭＳセッションを介して少なくとも１つのｅＭＢＭＳサービスのデータを受け取るための手段と、を備える装置である。
【０１５８】
例９６は、例９５の装置であって、ｅＭＢＭＳセッションパラメータ値を報告するための非請求リザルトコードの提示をイネーブルする第４のｅＭＢＭＳ専用ＡＴコマンドを送るための手段を備える。
【０１５９】
例９７は、例９５の装置であって、ＭＴで使用するｅＭＢＭＳサービスに関するクエリをＭＴに発する第５のｅＭＢＭＳ専用ＡＴコマンドを送るための手段を備える。
【０１６０】
例９８は、例９７の装置であって、第５のｅＭＢＭＳ専用ＡＴコマンドへの応答として１つまたは複数の使用されるｅＭＢＭＳサービスを記述する情報を受け取るための手段と、１つまたは複数の使用されるｅＭＢＭＳサービスのうちの少なくとも１つのＭＴによる使用を構成解除する第６のｅＭＢＭＳ専用ＡＴコマンドを送るための手段と、を備える。
【０１６１】
例９９は、例９５の装置であって、興味があるｅＭＢＭＳサービスに関連付けられたテンポラリモバイルグループ識別子（ＴＭＧＩ）のリストをＭＴに提供する第７のｅＭＢＭＳ専用ＡＴコマンドを送るための手段を備える。
【０１６２】
例１００は、例９５の装置であって、ＭＴにおけるｅＭＢＭＳサポートをディスエーブルする第８のｅＭＢＭＳ専用ＡＴコマンドを送るための手段を備える。
【０１６３】
例１０１は、例１００の装置であって、第８のｅＭＢＭＳ専用ＡＴコマンドは、ＭＴにマルチキャスト制御チャネル（ＭＣＣＨ）の監視を中断させるためのものである。
【０１６４】
例１０２は、例１０１の装置であって、ＭＴにおけるｅＭＢＭＳサポートをイネーブルする第９のｅＭＢＭＳ専用ＡＴコマンドを送るための手段を備え、第９のｅＭＢＭＳ専用ＡＴコマンドは、ＭＴにＭＣＣＨを監視させるためのものである。
【０１６５】
例１０３は、例９５〜１０２のいずれかによる装置と、少なくとも１つのラジオ周波数（ＲＦ）トランシーバと、少なくとも１つのＲＦアンテナと、を備えるユーザ装置（ＵＥ）である。
【０１６６】
例１０４は、少なくとも一部がハードウェア内にあるロジックを備えた装置であって、そのロジックは、モバイルターミネーション（ＭＴ）において発展型マルチメディアブロードキャスト・マルチキャストサービス（ｅＭＢＭＳ）のサポートをイネーブルする第１のＡＴコマンドを送るため、ＭＴで使用できる１つまたは複数のｅＭＢＭＳサービスを特定するため、１つまたは複数の使用できるｅＭＢＭＳサービスのうちの少なくとも１つを使用するようにＭＴを構成する第２のＡＴコマンドを送るため、およびデータ状態のＭＴの動作中にｅＭＢＭＳセッションを介して少なくとも１つのｅＭＢＭＳサービスのデータを受け取るため、のものである。
【０１６７】
例１０５は、例１０４の装置であって、そのロジックは、ＭＴをデータ状態に移行させる第３のＡＴコマンドを送るためのものである。
【０１６８】
例１０６は、例１０４の装置であって、第１のＡＴコマンドは、ＭＴにマルチキャスト制御チャネル（ＭＣＣＨ）を監視させるためのものである。
【０１６９】
例１０７は、例１０６の装置であって、そのロジックは、ＭＴにおけるｅＭＢＭＳサポートをディスエーブルする第４のＡＴコマンドを送るためのものであり、第４のＡＴコマンドは、ＭＴにＭＣＣＨの監視を中断させるためのものである。
【０１７０】
例１０８は、例１０４の装置であって、そのロジックは、ｅＭＢＭＳセッションパラメータ値を報告するための非請求リザルトコードの提示をイネーブルする第５のＡＴコマンドを送るためのものである。
【０１７１】
例１０９は、例１０４の装置であって、そのロジックは、ＭＴで使用できるサービスに関するクエリをＭＴに発する第６のＡＴコマンドを送るため、および第６のＡＴコマンドへの応答として受け取る情報に基づいて１つまたは複数の使用できるｅＭＢＭＳサービスを特定するため、のものである。
【０１７２】
例１１０は、例１０４の装置であって、そのロジックは、ＭＴで使用するｅＭＢＭＳサービスに関するクエリをＭＴに発する第７のＡＴコマンドを送るためのものである。
【０１７３】
例１１１は、例１１０の装置であって、そのロジックは、第７のＡＴコマンドへの応答として１つまたは複数の使用されるｅＭＢＭＳサービスを記述する情報を受け取るため、および１つまたは複数の使用されるｅＭＢＭＳサービスのうちの少なくとも１つのＭＴによる使用を構成解除する第８のＡＴコマンドを送るため、のものである。
【０１７４】
例１１２は、例１０４〜１１１のいずれかによる装置と、少なくとも１つのラジオ周波数（ＲＦ）トランシーバと、少なくとも１つのＲＦアンテナと、を備えるユーザ装置（ＵＥ）である。
【０１７５】
例１１３は、少なくとも一部がハードウェア内にあるロジックを備えた装置であって、そのロジックは、ＭＴで使用できるｅＭＢＭＳサービスに関するクエリをモバイルターミネーション（ＭＴ）に発する第１の発展型マルチメディアブロードキャスト・マルチキャストサービス（ｅＭＢＭＳ）専用ＡＴコマンドを送るため、第１のｅＭＢＭＳ専用ＡＴコマンドへの応答として１つまたは複数の使用できるｅＭＢＭＳサービスを記述する情報を受け取るため、１つまたは複数の使用できるｅＭＢＭＳサービスのうちの少なくとも１つを使用するようにＭＴを構成する第２のｅＭＢＭＳ専用ＡＴコマンドを送るため、その少なくとも１つのｅＭＢＭＳサービスに関連付けられたｅＭＢＭＳセッションに関するデータ状態にＭＴを移行させる第３のｅＭＢＭＳ専用ＡＴコマンドを送るため、およびｅＭＢＭＳセッションを介して少なくとも１つのｅＭＢＭＳサービスのデータを受け取るため、のものである。
【０１７６】
例１１４は、例１１３の装置であって、そのロジックは、ｅＭＢＭＳセッションパラメータ値を報告するための非請求リザルトコードの提示をイネーブルする第４のｅＭＢＭＳ専用ＡＴコマンドを送るためのものである。
【０１７７】
例１１５は、例１１３の装置であって、そのロジックは、ＭＴで使用するｅＭＢＭＳサービスに関するクエリをＭＴに発する第５のｅＭＢＭＳ専用ＡＴコマンドを送るためのものである。
【０１７８】
例１１６は、例１１５の装置であって、そのロジックは、第５のｅＭＢＭＳ専用ＡＴコマンドへの応答として１つまたは複数の使用されるｅＭＢＭＳサービスを記述する情報を受け取るため、および１つまたは複数の使用されるｅＭＢＭＳサービスのうちの少なくとも１つのＭＴによる使用を構成解除する第６のｅＭＢＭＳ専用ＡＴコマンドを送るため、のものである。
【０１７９】
例１１７は、例１１３の装置であって、そのロジックは、興味があるｅＭＢＭＳサービスに関連付けられたテンポラリモバイルグループ識別子（ＴＭＧＩ）のリストをＭＴに提供する第７のｅＭＢＭＳ専用ＡＴコマンドを送るためのものである。
【０１８０】
例１１８は、例１１３の装置であって、そのロジックは、ＭＴにおけるｅＭＢＭＳサポートをディスエーブルする第８のｅＭＢＭＳ専用ＡＴコマンドを送るためのものである。
【０１８１】
例１１９は、例１１８の装置であって、第８のｅＭＢＭＳ専用ＡＴコマンドは、ＭＴにマルチキャスト制御チャネル（ＭＣＣＨ）の監視を中断させるためのものである。
【０１８２】
例１２０は、例１１９の装置であって、そのロジックは、ＭＴにおけるｅＭＢＭＳサポートをイネーブルする第９のｅＭＢＭＳ専用ＡＴコマンドを送るためのものであり、第９のｅＭＢＭＳ専用ＡＴコマンドは、ＭＴにＭＣＣＨを監視させるためのものである。
【０１８３】
例１２１は、例１１３〜１２０のいずれかによる装置と、少なくとも１つのラジオ周波数（ＲＦ）トランシーバと、少なくとも１つのＲＦアンテナと、を備えるユーザ装置（ＵＥ）である。
【０１８４】
例１２２は、モバイルターミネーション（ＭＴ）において発展型マルチメディアブロードキャスト・マルチキャストサービス（ｅＭＢＭＳ）のサポートをイネーブルする第１のＡＴコマンドを送るための手段と、ＭＴで使用できる１つまたは複数のｅＭＢＭＳサービスを特定するための手段と、１つまたは複数の使用できるｅＭＢＭＳサービスのうちの少なくとも１つを使用するようにＭＴを構成する第２のＡＴコマンドを送るための手段と、データ状態のＭＴの動作中にｅＭＢＭＳセッションを介して少なくとも１つのｅＭＢＭＳサービスのデータを受け取るための手段と、を備える装置である。
【０１８５】
例１２３は、例１２２の装置であって、ＭＴをデータ状態に移行させる第３のＡＴコマンドを送るための手段を備える。
【０１８６】
例１２４は、例１２２の装置であって、第１のＡＴコマンドは、ＭＴにマルチキャスト制御チャネル（ＭＣＣＨ）を監視させるためのものである。
【０１８７】
例１２５は、例１２４の装置であって、ＭＴにおけるｅＭＢＭＳサポートをディスエーブルする第４のＡＴコマンドを送るための手段を備え、第４のＡＴコマンドは、ＭＴにＭＣＣＨの監視を中断させるためのものである。
【０１８８】
例１２６は、例１２２の装置であって、ｅＭＢＭＳセッションパラメータ値を報告するための非請求リザルトコードの提示をイネーブルする第５のＡＴコマンドを送るための手段を備える。
【０１８９】
例１２７は、例１２２の装置であって、ＭＴで使用できるサービスに関するクエリをＭＴに発する第６のＡＴコマンドを送るための手段と、第６のＡＴコマンドへの応答として受け取る情報に基づいて１つまたは複数の使用できるｅＭＢＭＳサービスを特定するための手段と、を備える。
【０１９０】
例１２８は、例１２２の装置であって、ＭＴで使用するｅＭＢＭＳサービスに関するクエリをＭＴに発する第７のＡＴコマンドを送るための手段を備える。
【０１９１】
例１２９は、例１２８の装置であって、第７のＡＴコマンドへの応答として１つまたは複数の使用されるｅＭＢＭＳサービスを記述する情報を受け取るための手段と、１つまたは複数の使用されるｅＭＢＭＳサービスのうちの少なくとも１つのＭＴによる使用を構成解除する第８のＡＴコマンドを送るための手段と、を備える。
【０１９２】
例１３０は、例１２２〜１２９のいずれかによる装置と、少なくとも１つのラジオ周波数（ＲＦ）トランシーバと、少なくとも１つのＲＦアンテナと、を備えるユーザ装置（ＵＥ）である。
【０１９３】
例１３１は、命令のセットを含む少なくとも１つの非一時的なコンピュータ可読記憶媒体であって、命令は、コンピューティングデバイスにおいて実行されることに応答して、モバイルターミネーション（ＭＴ）において発展型マルチメディアブロードキャスト・マルチキャストサービス（ｅＭＢＭＳ）のサポートをイネーブルする第１のＡＴコマンドを送ることと、ＭＴで使用できるｅＭＢＭＳサービスに関するクエリをＭＴに発する第２のＡＴコマンドを送ることと、第２のＡＴコマンドへの応答として１つまたは複数の使用できるｅＭＢＭＳサービスを記述する情報を受け取ることと、１つまたは複数の使用できるｅＭＢＭＳサービスのうちの少なくとも１つを使用するようにＭＴを構成する第３のＡＴコマンドを送ることと、をコンピューティングデバイスに実行させるものである。
【０１９４】
例１３２は、例１３１の少なくとも１つの非一時的なコンピュータ可読記憶媒体であって、コンピューティングデバイスにおいて実行されると、その少なくとも１つのｅＭＢＭＳサービスに関連付けられたｅＭＢＭＳセッションに関するデータ状態にＭＴを移行させる第４のＡＴコマンドを送ることと、データ状態のＭＴの動作中に少なくとも１つのｅＭＢＭＳサービスを介してデータを受け取ることと、をコンピューティングデバイスに実行させる命令を含む。
【０１９５】
例１３３は、例１３１の少なくとも１つの非一時的なコンピュータ可読記憶媒体であって、第１のＡＴコマンドは、ＭＴにマルチキャスト制御チャネル（ＭＣＣＨ）を監視させるためのものである。
【０１９６】
例１３４は、例１３３の少なくとも１つの非一時的なコンピュータ可読記憶媒体であって、コンピューティングデバイスにおいて実行されると、ＭＴにおけるｅＭＢＭＳサポートをディスエーブルする第５のＡＴコマンドを送ることをコンピューティングデバイスに実行させる命令を含み、第５のＡＴコマンドは、ＭＴにＭＣＣＨの監視を中断させるためのものである。
【０１９７】
例１３５は、例１３１の少なくとも１つの非一時的なコンピュータ可読記憶媒体であって、コンピューティングデバイスにおいて実行されると、ｅＭＢＭＳセッションパラメータ値を報告するための非請求リザルトコードの提示をイネーブルする第６のＡＴコマンドを送ることをコンピューティングデバイスに実行させる命令を含む。
【０１９８】
例１３６は、例１３１の少なくとも１つの非一時的なコンピュータ可読記憶媒体であって、コンピューティングデバイスにおいて実行されると、ＭＴで使用するｅＭＢＭＳサービスに関するクエリをＭＴに発する第７のＡＴコマンドを送ることをコンピューティングデバイスに実行させる命令を含む。
【０１９９】
例１３７は、例１３６の少なくとも１つの非一時的なコンピュータ可読記憶媒体であって、コンピューティングデバイスにおいて実行されると、第７のＡＴコマンドへの応答として１つまたは複数の使用されるｅＭＢＭＳサービスを記述する情報を受け取ることと、１つまたは複数の使用されるｅＭＢＭＳサービスのうちの少なくとも１つのＭＴによる使用を構成解除する第８のＡＴコマンドを送ることと、をコンピューティングデバイスに実行させる命令を含む。
【０２００】
例１３８は、例１３１の少なくとも１つの非一時的なコンピュータ可読記憶媒体であって、コンピューティングデバイスにおいて実行されると、興味があるｅＭＢＭＳサービスに関連付けられたテンポラリモバイルグループ識別子（ＴＭＧＩ）のリストをＭＴに提供する第９のＡＴコマンドを送ることをコンピューティングデバイスに実行させる命令を含む。
【０２０１】
実施形態についての完全な理解を与えるため、本明細書では様々な具体的詳細について記載している。しかしながら、実施形態は、それら特定の詳細を省いても実施できることは、当業者であれば理解できるであろう。一方で、実施形態を不明瞭にすることがないよう、周知のオペレーション、コンポーネント、および回路については詳細に記載していない。本明細書で開示される具体的な構造的および機能的詳細は、典型となり得るものであって、必ずしも実施形態の範囲を限定するものではないことは、理解されるであろう。
【０２０２】
いくつかの実施形態では、「結合された（ｃｏｕｐｌｅｄ）」および「接続された（ｃｏｎｎｅｃｔｅｄ）」という表現を、その派生語と共に用いて、説明している場合がある。これらの用語は、互いに同義語としてのものではない。例えば、いくつかの実施形態では、２つ以上の要素が互いに直接的に、物理的または電気的に接触していることを示すために「接続された（ｃｏｎｎｅｃｔｅｄ）」かつ／または「結合された（ｃｏｕｐｌｅｄ）」という表現を用いて説明している場合がある。一方、「結合された（ｃｏｕｐｌｅｄ）」という表現は、２つ以上の要素が互いに直接的には接触していないものの互いに連携または相互作用することを意味する場合もある。
【０２０３】
別段の規定がある場合を除き、「処理する（ｐｒｏｃｅｓｓｉｎｇ）」、「演算する（ｃｏｍｐｕｔｉｎｇ）」、「計算する（ｃａｌｃｕｌａｔｉｎｇ）」、「判断する（ｄｅｔｅｒｍｉｎｉｎｇ）」などのような用語は、コンピューティングシステムのレジスタおよび／またはメモリ内の（例えば、電子的な）物理量として表されるデータを、コンピューティングシステムのメモリ、レジスタ内または他のそのような情報記憶、伝達、もしくは表示装置内で同様に物理量として表される他のデータに操作および／または変換する、コンピュータもしくはコンピューティングシステムまたは類似の電子コンピューティング装置のアクションおよび／またはプロセスを指すものと理解することができる。実施形態は、この文脈に限定されない。
【０２０４】
なお、本明細書に記載の方法は、記載された順序またはいずれかの特定の順序で実行する必要はないということに留意すべきである。また、本明細書で示す方法に関して記載している各種アクティビティは、逐次または並列に実行することができる。
【０２０５】
本明細書では具体的な実施形態を例示および記載しているが、理解されるべきことは、同じ目的を達成すると予測される任意の構成を、記載の特定の実施形態の代用としてよいということである。本開示は、種々の実施形態のあらゆる改良または変形を包括するものである。上記の説明は例示的になされたものであって、限定するものではないことは理解されるべきである。上記の実施形態の組み合わせ、および本明細書に具体的に記載していない他の実施形態は、上記説明を精査することで当業者には明らかであろう。よって、種々の実施形態の範囲には、上記の構成、構造、および方法を用いる他のあらゆる応用が含まれる。
【０２０６】
なお、強調すべきことは、本開示の要約書は、読者が技術的開示の本質を迅速に確認できる要約を要求している３７Ｃ．Ｆ．Ｒ．（米国特許法施行規則）１．７２（ｂ）に従って提供されるということである。それが請求項の範囲または意味を解釈または限定するために用いられることはないという理解のもとに提出される。また、上記の詳細な説明では、開示を合理化する目的で、種々の特徴が、まとめて１つの実施形態に組み込まれていることが分かる。この開示方法は、請求項に係る実施形態が各請求項に明示的に記載された特徴よりも多くの特徴を必要とするという意図を反映するものと解釈されてはならない。むしろ、以下の請求項にある通り、発明の主題は、１つの開示された実施形態のすべての特徴よりも少ない特徴にある。よって、以下の請求項は、本明細書における詳細な説明に組み込まれているものであり、各請求項は個別の好適な実施形態として独立している。添付の請求項において、「含んでいる（ｉｎｃｌｕｄｉｎｇ）」および「ｉｎ  ｗｈｉｃｈ」という表現は、それぞれ対応する「備えている（ｃｏｍｐｒｉｓｉｎｇ）」および「ｗｈｅｒｅｉｎ」という表現の平易な英語による同義語として使用される。また、「第１」、「第２」、「第３」などの用語は、単にラベルとして使用されるものであり、その対象物に数値的要件を課すものではない。
【０２０７】
主題について、構造的特徴および／または方法論的動作に特化した表現で説明しているが、添付の請求項で規定される主題は、上記の特定の特徴または動作に必ずしも限定されないことは理解されるべきである。むしろ、上記の具体的な特徴および動作は，請求項を実現する例示的形態として開示している。
［項目１］
装置であって、
少なくとも一部がハードウェア内にあるロジックを備え、上記ロジックは、モバイルターミネーション（ＭＴ）において発展型マルチメディアブロードキャスト・マルチキャストサービス（ｅＭＢＭＳ）のサポートをイネーブルする第１のＡＴコマンドを送るため、上記ＭＴで使用できるｅＭＢＭＳサービスに関するクエリを上記ＭＴに発する第２のＡＴコマンドを送るため、上記第２のＡＴコマンドへの応答として１つまたは複数の使用できるｅＭＢＭＳサービスを記述する情報を受け取るため、および上記１つまたは複数の使用できるｅＭＢＭＳサービスのうちの少なくとも１つを使用するように上記ＭＴを構成する第３のＡＴコマンドを送るため、のものである、装置。
［項目２］
上記ロジックは、上記少なくとも１つのｅＭＢＭＳサービスに関連付けられたｅＭＢＭＳセッションに関するデータ状態に上記ＭＴを移行させる第４のＡＴコマンドを送るため、および上記データ状態の上記ＭＴの動作中に上記少なくとも１つのｅＭＢＭＳサービスを介してデータを受け取るため、のものである、項目１に記載の装置。
［項目３］
上記第１のＡＴコマンドは、上記ＭＴにマルチキャスト制御チャネル（ＭＣＣＨ）を監視させるためのものである、項目１に記載の装置。
［項目４］
上記ロジックは、上記ＭＴにおけるｅＭＢＭＳサポートをディスエーブルする第５のＡＴコマンドを送るためのものであり、上記第５のＡＴコマンドは、上記ＭＴに上記ＭＣＣＨの監視を中断させるためのものである、項目３に記載の装置。
［項目５］
上記ロジックは、ｅＭＢＭＳセッションパラメータ値を報告するための非請求リザルトコードの提示をイネーブルする第６のＡＴコマンドを送るためのものである、項目１に記載の装置。
［項目６］
上記ロジックは、上記ＭＴで使用するｅＭＢＭＳサービスに関するクエリを上記ＭＴに発する第７のＡＴコマンドを送るためのものである、項目１に記載の装置。
［項目７］
上記ロジックは、上記第７のＡＴコマンドへの応答として１つまたは複数の使用されるｅＭＢＭＳサービスを記述する情報を受け取るため、および上記１つまたは複数の使用されるｅＭＢＭＳサービスのうちの少なくとも１つの、上記ＭＴによる使用を構成解除する第８のＡＴコマンドを送るため、のものである、項目６に記載の装置。
［項目８］
上記ロジックは、興味があるｅＭＢＭＳサービスに関連付けられたテンポラリモバイルグループ識別子（ＴＭＧＩ）のリストを上記ＭＴに提供する第９のＡＴコマンドを送るためのものである、項目１に記載の装置。
［項目９］
ユーザ装置（ＵＥ）であって、
項目１〜８のいずれか一項に記載の装置と、
少なくとも１つのラジオ周波数（ＲＦ）トランシーバと、
少なくとも１つのＲＦアンテナと、を備えるＵＥ。
［項目１０］
命令のセットを含む少なくとも１つの非一時的なコンピュータ可読記憶媒体であって、上記命令は、コンピューティングデバイスにおいて実行されることに応答して、
モバイルターミネーション（ＭＴ）で使用できる発展型マルチメディアブロードキャスト・マルチキャストサービス（ｅＭＢＭＳ）サービスに関するクエリを上記ＭＴに発する第１のｅＭＢＭＳ専用ＡＴコマンドを送ることと、
上記第１のｅＭＢＭＳ専用ＡＴコマンドへの応答として１つまたは複数の使用できるｅＭＢＭＳサービスを記述する情報を受け取ることと、
上記１つまたは複数の使用できるｅＭＢＭＳサービスのうちの少なくとも１つを使用するように上記ＭＴを構成する第２のｅＭＢＭＳ専用ＡＴコマンドを送ることと、
上記少なくとも１つのｅＭＢＭＳサービスに関連付けられたｅＭＢＭＳセッションに関するデータ状態に上記ＭＴを移行させる第３のｅＭＢＭＳ専用ＡＴコマンドを送ることと、
上記ｅＭＢＭＳセッションを介して上記少なくとも１つのｅＭＢＭＳサービスのデータを受け取ることと、を上記コンピューティングデバイスに実行させるものである、少なくとも１つの非一時的なコンピュータ可読記憶媒体。
［項目１１］
上記コンピューティングデバイスにおいて実行されることに応答して、ｅＭＢＭＳセッションパラメータ値を報告するための非請求リザルトコードの提示をイネーブルする第４のｅＭＢＭＳ専用ＡＴコマンドを送ることを上記コンピューティングデバイスに実行させる命令を含む、項目１０に記載の少なくとも１つの非一時的なコンピュータ可読記憶媒体。
［項目１２］
上記コンピューティングデバイスにおいて実行されることに応答して、上記ＭＴで使用するｅＭＢＭＳサービスに関するクエリを上記ＭＴに発する第５のｅＭＢＭＳ専用ＡＴコマンドを送ることを上記コンピューティングデバイスに実行させる命令を含む、項目１０に記載の少なくとも１つの非一時的なコンピュータ可読記憶媒体。
［項目１３］
上記コンピューティングデバイスにおいて実行されることに応答して、
上記第５のｅＭＢＭＳ専用ＡＴコマンドへの応答として１つまたは複数の使用されるｅＭＢＭＳサービスを記述する情報を受け取ることと、
上記１つまたは複数の使用されるｅＭＢＭＳサービスのうちの少なくとも１つの、上記ＭＴによる使用を構成解除する第６のｅＭＢＭＳ専用ＡＴコマンドを送ることと、を上記コンピューティングデバイスに実行させる命令を含む、項目１２に記載の少なくとも１つの非一時的なコンピュータ可読記憶媒体。
［項目１４］
上記コンピューティングデバイスにおいて実行されることに応答して、興味があるｅＭＢＭＳサービスに関連付けられたテンポラリモバイルグループ識別子（ＴＭＧＩ）のリストを上記ＭＴに提供する第７のｅＭＢＭＳ専用ＡＴコマンドを送ることを上記コンピューティングデバイスに実行させる命令を含む、項目１０に記載の少なくとも１つの非一時的なコンピュータ可読記憶媒体。
［項目１５］
上記コンピューティングデバイスにおいて実行されることに応答して、上記ＭＴにおけるｅＭＢＭＳサポートをディスエーブルする第８のｅＭＢＭＳ専用ＡＴコマンドを送ることを上記コンピューティングデバイスに実行させる命令を含む、項目１０に記載の少なくとも１つの非一時的なコンピュータ可読記憶媒体。
［項目１６］
上記第８のｅＭＢＭＳ専用ＡＴコマンドは、上記ＭＴにマルチキャスト制御チャネル（ＭＣＣＨ）の監視を中断させるためのものである、項目１５に記載の少なくとも１つの非一時的なコンピュータ可読記憶媒体。
［項目１７］
上記コンピューティングデバイスにおいて実行されることに応答して、上記ＭＴにおけるｅＭＢＭＳサポートをイネーブルする第９のｅＭＢＭＳ専用ＡＴコマンドを送ることを上記コンピューティングデバイスに実行させる命令を含み、上記第９のｅＭＢＭＳ専用ＡＴコマンドは、上記ＭＴに上記ＭＣＣＨを監視させるためのものである、項目１６に記載の少なくとも１つの非一時的なコンピュータ可読記憶媒体。
［項目１８］
ユーザ装置（ＵＥ）であって、
モバイルターミネーション（ＭＴ）と、
少なくとも一部がハードウェア内にあるロジックを有する端末装置（ＴＥ）と、を備え、上記ロジックは、上記ＭＴにおいて発展型マルチメディアブロードキャスト・マルチキャストサービス（ｅＭＢＭＳ）のサポートをイネーブルする第１のＡＴコマンドを送るため、上記ＭＴで使用できる１つまたは複数のｅＭＢＭＳサービスを特定するため、上記１つまたは複数の使用できるｅＭＢＭＳサービスのうちの少なくとも１つを使用するように上記ＭＴを構成する第２のＡＴコマンドを送るため、およびデータ状態の上記ＭＴの動作中にｅＭＢＭＳセッションを介して上記少なくとも１つのｅＭＢＭＳサービスのデータを受け取るため、のものである、ＵＥ。
［項目１９］
上記ロジックは、上記ＭＴを上記データ状態に移行させる第３のＡＴコマンドを送るためのものである、項目１８に記載のＵＥ。
［項目２０］
上記第１のＡＴコマンドは、上記ＭＴにマルチキャスト制御チャネル（ＭＣＣＨ）を監視させるためのものである、項目１８に記載のＵＥ。
［項目２１］
上記ロジックは、上記ＭＴにおけるｅＭＢＭＳサポートをディスエーブルする第４のＡＴコマンドを送るためのものであり、上記第４のＡＴコマンドは、上記ＭＴに上記ＭＣＣＨの監視を中断させるためのものである、項目２０に記載のＵＥ。
［項目２２］
上記ロジックは、ｅＭＢＭＳセッションパラメータ値を報告するための非請求リザルトコードの提示をイネーブルする第５のＡＴコマンドを送るためのものである、項目１８に記載のＵＥ。
［項目２３］
上記ロジックは、上記ＭＴで使用できるサービスに関するクエリを上記ＭＴに発する第６のＡＴコマンドを送るため、および上記第６のＡＴコマンドへの応答として受け取る情報に基づいて上記１つまたは複数の使用できるｅＭＢＭＳサービスを特定するため、のものである、項目１８に記載のＵＥ。
［項目２４］
上記ロジックは、上記ＭＴで使用するｅＭＢＭＳサービスに関するクエリを上記ＭＴに発する第７のＡＴコマンドを送るためのものである、項目１８に記載のＵＥ。
［項目２５］
上記ロジックは、上記第７のＡＴコマンドへの応答として１つまたは複数の使用されるｅＭＢＭＳサービスを記述する情報を受け取るため、および上記１つまたは複数の使用されるｅＭＢＭＳサービスのうちの少なくとも１つの、上記ＭＴによる使用を構成解除する第８のＡＴコマンドを送るため、のものである、項目２４に記載のＵＥ。
【図１】
0006617373.tif 000002
【図２】
0006617373.tif 000003
【図３】
0006617373.tif 000004
【図４】
0006617373.tif 000005
【図５】
0006617373.tif 000006
【図６】
0006617373.tif 000007
【図７Ａ】
0006617373.tif 000008
【図７Ｂ】
0006617373.tif 000009
【図８】
0006617373.tif 000010
【図９】
0006617373.tif 000011
【図１０】
0006617373.tif 000012
【図１１】
0006617373.tif 000013
【図１２】
0006617373.tif 000014
【図１３】
0006617373.tif 000015